(57)【要約】【課題】第２の通信装置を保持している場合において、第１の通信装置を利用して商品を購入するときに、当該第２の通信装置が有する機能を利用することができる情報通信システムを提供することを提供する。【解決手段】第１の通信装置６００は、第１の通信インターフェイス６６２と、第１のディスプレイ６３０と、自身と通信可能であって且つ識別情報を取得可能である第２の通信装置を探索するための探索手段６１０２と、第２の通信装置５００に第１の情報を送信するための第１の通信制御手段６１０１とを含む。第２の通信装置は、第２の通信インターフェイス５６２と、第１の通信装置に自身が識別情報を取得可能であることを通知するための第２の通信制御手段５１０１と、第１の通信装置からの第１の情報に応じて、識別情報を取得するための取得手段５１０２とを含む。【選択図】図２
2010271779.tif 000002
【特許請求の範囲】
【請求項１】
第１および第２の通信装置を備える情報通信システムであって、
前記第１の通信装置は、
前記第１の通信装置の外部の装置と通信するための第１の通信インターフェイスと、
少なくとも１つの商品の情報を表示するための第１のディスプレイと、
前記第１の通信インターフェイスを用いることによって、自身と通信可能であって且つ識別情報を取得可能である前記第２の通信装置を探索するための探索手段と、
前記商品が選択された場合に、前記第１の通信インターフェイスを用いることによって、通信可能な前記第２の通信装置に、前記選択された商品に関する第１の情報を送信するための第１の通信制御手段とを含み、
前記第２の通信装置は、
前記第２の通信装置の外部の装置と通信するための第２の通信インターフェイスと、
前記第２の通信インターフェイスを用いることによって、前記第１の通信装置に自身が識別情報を取得可能であることを通知するための第２の通信制御手段と、
前記第１の通信装置からの前記第１の情報に応じて、識別情報を取得するための取得手段とを含む、情報通信システム。
【請求項２】
前記識別情報は、前記第２の通信装置のユーザを特定する、請求項１に記載の情報通信システム。
【請求項３】
前記第１の情報は、前記選択された商品に関する情報を含み、
前記第２の通信装置は、
前記第１の通信装置からの前記第１の情報に基づいて、前記選択された商品に関する情報を表示する第２のディスプレイをさらに含む、請求項１または２に記載の情報通信システム。
【請求項４】
前記第２のディスプレイは、前記第１の通信装置から取得した商品に関する情報を表示するとともにタッチ操作を検出するためのタッチパネルを含み、
前記取得手段は、前記タッチパネルを介して前記タッチ操作を検出することによって、指紋を前記識別情報として取得する、請求項３に記載の情報通信システム。
【請求項５】
前記第１の通信装置は、前記商品の選択命令を順次受け付けるための受付手段をさらに含み、
前記第１の通信制御手段は、前記選択命令に対応する前記第１の情報を前記第２の通信装置へ送信し、
前記タッチパネルは、前記第１の情報に基づいて、少なくとも１つの前記選択された商品を選択可能に表示し、
前記取得手段は、前記タッチパネルを介して前記商品に対するタッチ操作を検出することによって、前記商品の購入命令を受け付けるとともに前記指紋を取得する、請求項４に記載の情報通信システム。
【請求項６】
前記第２のディスプレイは、商品に関する情報を表示するとともに、タッチ操作を検出するためのタッチパネルを含み、
前記取得手段は、前記タッチパネルを介して一連の前記タッチ操作を検出することによって、サインを前記識別情報として取得する、請求項３に記載の情報通信システム。
【請求項７】
前記第１の情報は、当該商品の名称、当該商品に関する画像、当該商品の価格、当該商品を利用可能な機器の少なくともいずれかを示す、請求項３から６のいずれかに記載の情報通信システム。
【請求項８】
前記第２の通信装置は、前記識別情報に基づいてユーザ認証を行うための認証手段をさらに含む、請求項１から７のいずれかに記載の情報通信システム。
【請求項９】
前記情報通信システムは、第１のサーバをさらに含み、
前記第２の通信装置は、前記第２の通信装置の外部の装置と通信するための第３の通信インターフェイスをさらに含み、
前記第２の通信制御手段は、前記第３の通信インターフェイスを用いることによって、前記認証結果を前記第１のサーバに送信し、
前記第１のサーバは、前記第２の通信装置からの前記認証結果に基づいて前記選択された商品に関する課金処理を行うための課金手段を含む、請求項８に記載の情報通信システム。
【請求項１０】
前記情報通信システムは、第１のサーバをさらに含み、
前記第２の通信制御手段は、前記第２の通信インターフェイスを用いることによって、前記認証結果を前記第１の通信装置に送信し、
前記第１の通信装置は、前記第１の通信装置の外部の装置と通信するための第４の通信インターフェイスをさらに含み、
前記第１の通信制御手段は、前記第４の通信インターフェイスを用いることによって、前記認証結果を前記第１のサーバに送信し、
前記第１のサーバは、前記第１の通信装置からの認証結果に基づいて前記選択された商品に関する課金処理を行うための課金手段を含む、請求項８に記載の情報通信システム。
【請求項１１】
前記情報通信システムは、第１のサーバをさらに含み、
前記第２の通信制御手段は、前記第２の通信インターフェイスを用いることによって、前記識別情報を前記第１の通信装置に送信し、
前記第１の通信装置は、
前記識別情報に基づいてユーザ認証を行うための認証手段と、
前記第１の通信装置の外部の装置と通信するための第４の通信インターフェイスとをさらに含み、
前記第１の通信制御手段は、前記第４の通信インターフェイスを用いることによって、前記認証結果を前記第１のサーバへ送信し、
前記第１のサーバは、前記第１の通信装置からの前記認証結果に基づいて前記選択された商品に関する課金処理を行うための課金手段を含む、請求項１から７のいずれかに記載の情報通信システム。
【請求項１２】
前記情報通信システムは、第１のサーバをさらに含み、
前記第２の通信制御手段は、前記第２の通信インターフェイスを用いることによって、前記識別情報を前記第１の通信装置に送信し、
前記第１の通信装置は、前記第１の通信装置の外部の装置と通信するための第４の通信インターフェイスをさらに含み、
前記第１の通信制御手段は、前記第４の通信インターフェイスを用いることによって、前記識別情報を前記第１のサーバへ送信し、
前記第１のサーバは、
前記識別情報に基づいてユーザ認証を行うための認証手段と、
前記認証結果に基づいて前記選択された商品に関する課金処理を行うための課金手段とを含む、請求項１から７のいずれかに記載の情報通信システム。
【請求項１３】
前記商品は、コンテンツデータであって、
前記情報通信システムは、少なくとも１つの前記コンテンツデータを第２の情報に対応付けて記憶する第２のサーバを備え、
前記第１の通信装置は、前記第１の通信装置の外部の装置と通信するための第４の通信インターフェイスをさらに含み、
前記第１の通信制御手段は、前記第４の通信インターフェイスを用いることによって、前記第２のサーバから少なくとも１つの前記第２の情報を受信し、
前記第１のディスプレイは、前記少なくとも１つの前記第２の情報に基づいて少なくとも１つの商品を選択可能に表示し、
第１の通信制御手段は、選択された商品に対応する前記第２の情報に基づいて、前記第１の情報を前記第２の通信装置に送信する、請求項１から１２のいずれかに記載の情報通信システム。
【請求項１４】
前記第１の通信制御手段は、前記第１のサーバにおける課金処理が完了した際に、前記第２のサーバから対応するコンテンツデータを受信する、請求項１３に記載の情報通信システム。
【請求項１５】
前記商品は、コンテンツデータであって、
第１のサーバは、少なくとも１つの前記コンテンツデータを第２の情報に対応付けて記憶し、
前記第１の通信制御手段は、前記第１のサーバから少なくとも１つの前記第２の情報を受信し、
前記第１の表示手段は、前記少なくとも１つの前記第２の情報に基づいて少なくとも１つの商品を選択可能に表示し、
第１の通信制御手段は、選択された商品に対応する前記第２の情報に基づいて、前記第１の情報を前記第２の通信装置に送信する、請求項１から１２のいずれかに記載の情報通信システム。
【請求項１６】
前記第１の通信制御手段は、前記第１のサーバにおける課金処理が完了した際に、前記第１のサーバから対応するコンテンツデータを受信する、請求項１５に記載の情報通信システム。
【請求項１７】
外部の装置と通信するための通信インターフェイスと、
少なくとも１つの商品の情報を表示するためのディスプレイと、
前記通信インターフェイスを用いることによって、自身と通信可能であって且つ識別情報を取得可能である他の通信装置を探索するための探索手段と、
前記商品が選択された場合に、前記通信インターフェイスを用いることによって、通信可能な前記他の通信装置に、前記選択された商品に関する第１の情報を送信するための通信制御手段とを備える、通信装置。
【請求項１８】
外部の装置と通信するための通信インターフェイスと、
前記通信インターフェイスを用いることによって、他の通信装置に自身が識別情報を取得可能であることを通知するための通信制御手段と、
前記他の通信装置からの第１の情報に基づいて、商品に関する情報を表示するディスプレイと、
前記他の通信装置からの前記第１の情報に応じて、識別情報を取得するための取得手段とを備える、通信装置。
【請求項１９】
通信インターフェイスと、ディスプレイと、演算処理部とを備える通信装置に通信させるための通信プログラムであって、前記演算処理部に、
前記ディスプレイに、少なくとも１つの商品の情報を表示させるステップと、
前記通信インターフェイスを用いることによって、自身と通信可能であって且つ識別情報を取得可能である他の通信装置を探索するステップと、
前記商品が選択された場合に、前記通信インターフェイスを用いることによって、通信可能な前記他の通信装置に、前記選択された商品に関する第１の情報を送信するステップとを実行させる、通信プログラム。
【請求項２０】
通信インターフェイスと、ディスプレイと、演算処理部とを備える通信装置に通信させるための通信プログラムであって、前記演算処理部に、
前記通信インターフェイスを用いることによって、他の通信装置に自身が識別情報を取得可能であることを通知するステップと、
前記ディスプレイに、前記他の通信装置からの第１の情報に基づいて、商品に関する情報を表示させるステップと、
前記他の通信装置からの前記第１の情報に応じて、識別情報を取得するステップとを実行させる、通信プログラム。
【請求項２１】
情報通信システムにおける通信方法であって、
第１の通信インターフェイスと第１のディスプレイとを備える第１の通信装置を用意するステップと、
第２の通信インターフェイスを備え、前記第１の通信装置と通信可能であって且つ識別情報を取得可能である第２の通信装置を用意するステップと、
前記第２の通信装置が、前記第２の通信インターフェイスを用いることによって、前記第１の通信装置に自身が識別情報を取得可能であることを通知するステップと、
前記第１の通信装置が、前記第１のディスプレイに、少なくとも１つの商品の情報を表示するステップと、
前記第１の通信装置が、前記第１の通信インターフェイスを用いることによって、前記第２の通信装置を探索するステップと、
前記第１の通信装置が、前記商品が選択された場合に、前記第１の通信インターフェイスを用いることによって、通信可能な前記第２の通信装置に、前記選択された商品に関する第１の情報を送信するステップと、
前記第２の通信装置が、前記第１の通信装置からの前記第１の情報に応じて、識別情報を取得するステップとを備える、通信方法。
【発明の詳細な説明】
【技術分野】
【０００１】
本発明は、ネットワークを利用して商品を購入することができる情報通信システム、通信装置、通信プログラム、および通信方法に関する。
【背景技術】
【０００２】
パーソナルコンピュータ（ＰＣ）を利用したインターネットサービスが知られている。近年では、インターネットサービスを利用できるテレビジョン装置も普及してきている。そのようなテレビジョン装置を利用して、商品を購入するユーザも増えている。
【０００３】
また、他人に悪用されたり、勝手に情報を閲覧されたりしないように、たとえば指紋認証機能などのような生体認証機能を有する携帯電話やパーソナルコンピュータが知られている。携帯電話やパーソナルコンピュータが上記のようなユーザ認証機能や電子マネーを利用した課金・決済機能を搭載することによって、ユーザは、簡単かつ安全に商品を購入することができる。
【０００４】
一般的に、インターネットを利用して商品を購入する場合、ユーザは、購入時のユーザ認証として、使用している機器にユーザＩＤやパスワードなどを入力する必要がある。
【０００５】
たとえば、特開２００２−２３２８６６号公報（特許文献１）には、商品の購入注文システム及び課金方法が開示されている。特開２００２−２３２８６６号公報（特許文献１）によると、放送局は映像信号中の購入可能な商品の商品情報をデータ信号に変換して映像信号および音声信号と同期させて視聴者に送出する。受信端末は受信したデータ信号を商品情報に変換して、映像信号に同期させて表示する。視聴者はリモートコントローラを操作して所望の商品情報の閲覧および購入依頼を接続されたブラウズ機能を有する携帯電話と双方向通信を行なう。情報センタは視聴者からの商品情報の閲覧および購入依頼を受け付け、商品の詳細情報を視聴者へ、購入依頼を商品情報提供者へ送信する。
【先行技術文献】
【特許文献】
【０００６】
【特許文献１】特開２００２−２３２８６６号公報
【発明の概要】
【発明が解決しようとする課題】
【０００７】
しかしながら、携帯電話などには様々な新しい機能が追加されてくることが想定され、固定のシステムで機能やサービスを実現した場合に、柔軟性が乏しくなる。例えば、ユーザが、新しい機能として生体認証機能を有している携帯電話を所有した場合でも、テレビなどの他の機器を利用して商品を購入するとき等には、当該携帯電話が有する便利な生体認証機能を利用することができない。
【０００８】
また、生体認証機能に限らず、接続されている携帯電話それぞれに搭載されている異なった機能を柔軟に使用する事ができない。
【０００９】
本発明は、かかる問題を解決するためになされたものであり、その目的は、ユーザが、識別情報を取得するための機能を有する携帯電話などの第２の通信装置を保持している場合において、テレビなどの第１の通信装置を利用して商品を購入するときに、当該第２の通信装置が有する機能を利用することができる情報通信システム、通信装置、通信プログラム、および通信方法を提供することである。
【課題を解決するための手段】
【００１０】
この発明のある局面に従うと、第１および第２の通信装置を備える情報通信システムが提供される。第１の通信装置は、第１の通信装置の外部の装置と通信するための第１の通信インターフェイスと、少なくとも１つの商品の情報を表示するための第１のディスプレイと、第１の通信インターフェイスを用いることによって、自身と通信可能であって且つ識別情報を取得可能である第２の通信装置を探索するための探索手段と、商品が選択された場合に、第１の通信インターフェイスを用いることによって、通信可能な第２の通信装置に、選択された商品に関する第１の情報を送信するための第１の通信制御手段とを含む。第２の通信装置は、第２の通信装置の外部の装置と通信するための第２の通信インターフェイスと、第２の通信インターフェイスを用いることによって、第１の通信装置に自身が識別情報を取得可能であることを通知するための第２の通信制御手段と、第１の通信装置からの第１の情報に応じて、識別情報を取得するための取得手段とを含む。
【００１１】
好ましくは、識別情報は、第２の通信装置のユーザを特定する。
好ましくは、第１の情報は、選択された商品に関する情報を含む。第２の通信装置は、第１の通信装置からの第１の情報に基づいて、選択された商品に関する情報を表示する第２のディスプレイをさらに含む。
【００１２】
好ましくは、第２のディスプレイは、第１の通信装置から取得した商品に関する情報を表示するとともにタッチ操作を検出するためのタッチパネルを含む。取得手段は、タッチパネルを介してタッチ操作を検出することによって、指紋を識別情報として取得する。
【００１３】
好ましくは、第１の通信装置は、商品の選択命令を順次受け付けるための受付手段をさらに含む。第１の通信制御手段は、選択命令に対応する第１の情報を第２の通信装置へ送信する。タッチパネルは、第１の情報に基づいて、少なくとも１つの選択された商品を選択可能に表示する。取得手段は、タッチパネルを介して商品に対するタッチ操作を検出することによって、商品の購入命令を受け付けるとともに指紋を取得する。
【００１４】
好ましくは、第２のディスプレイは、商品に関する情報を表示するとともに、タッチ操作を検出するためのタッチパネルを含む。取得手段は、タッチパネルを介して一連のタッチ操作を検出することによって、サインを識別情報として取得する。
【００１５】
好ましくは、第１の情報は、当該商品の名称、当該商品に関する画像、当該商品の価格、当該商品を利用可能な機器の少なくともいずれかを示す。
【００１６】
好ましくは、第２の通信装置は、識別情報に基づいてユーザ認証を行なうための認証手段をさらに含む。
【００１７】
好ましくは、情報通信システムは、第１のサーバをさらに含む。第２の通信装置は、第２の通信装置の外部の装置と通信するための第３の通信インターフェイスをさらに含む。第２の通信制御手段は、第３の通信インターフェイスを用いることによって、認証結果を第１のサーバに送信する。第１のサーバは、第２の通信装置からの認証結果に基づいて選択された商品に関する課金処理を行なうための課金手段を含む。
【００１８】
好ましくは、情報通信システムは、第１のサーバをさらに含む。第２の通信制御手段は、第２の通信インターフェイスを用いることによって、認証結果を第１の通信装置に送信する。前記第１の通信装置は、前記第１の通信装置の外部の装置と通信するための第４の通信インターフェイスをさらに含む。第１の通信制御手段は、第４の通信インターフェイスを用いることによって、認証結果を第１のサーバに送信する。第１のサーバは、第１の通信装置からの認証結果に基づいて選択された商品に関する課金処理を行なうための課金手段を含む。
【００１９】
好ましくは、情報通信システムは、第１のサーバをさらに含む。第２の通信制御手段は、第２の通信インターフェイスを用いることによって、識別情報を第１の通信装置に送信する。第１の通信装置は、識別情報に基づいてユーザ認証を行なうための認証手段と、第１の通信装置の外部の装置と通信するための第４の通信インターフェイスとをさらに含む。第１の通信制御手段は、第４の通信インターフェイスを用いることによって、認証結果を第１のサーバへ送信する。第１のサーバは、第１の通信装置からの認証結果に基づいて選択された商品に関する課金処理を行なうための課金手段を含む。
【００２０】
好ましくは、情報通信システムは、第１のサーバをさらに含む。第２の通信制御手段は、第２の通信インターフェイスを用いることによって、識別情報を第１の通信装置に送信する。前記第１の通信装置は、第１の通信装置の外部の装置と通信するための第４の通信インターフェイスをさらに含む。第１の通信制御手段は、第４の通信インターフェイスを用いることによって、識別情報を第１のサーバへ送信する。第１のサーバは、識別情報に基づいてユーザ認証を行なうための認証手段と、認証結果に基づいて選択された商品に関する課金処理を行なうための課金手段とを含む。
【００２１】
好ましくは、商品は、コンテンツデータである。コンテンツデータとは、映像、音声、画像などのデジタルデータ、それらに関連する関連情報、電子クーポンなどを指す。情報通信システムは、少なくとも１つのコンテンツデータを第２の情報に対応付けて記憶する第２のサーバを備える。第１の通信装置は、第１の通信装置の外部の装置と通信するための第４の通信インターフェイスをさらに含む。第１の通信制御手段は、第４の通信インターフェイスを用いることによって、第２のサーバから少なくとも１つの第２の情報を受信する。第１のディスプレイは、少なくとも１つの第２の情報に基づいて少なくとも１つの商品を選択可能に表示する。第１の通信制御手段は、選択された商品に対応する第２の情報に基づいて、第１の情報を第２の通信装置に送信する。
【００２２】
好ましくは、第１の通信制御手段は、第１のサーバにおける課金処理が完了した際に、第２のサーバから対応するコンテンツデータを受信する。
【００２３】
好ましくは、商品は、コンテンツデータである。第１のサーバは、少なくとも１つのコンテンツデータを第２の情報に対応付けて記憶する。第１の通信制御手段は、第１のサーバから少なくとも１つの第２の情報を受信する。第１のディスプレイは、少なくとも１つの第２の情報に基づいて少なくとも１つの商品を選択可能に表示する。第１の通信制御手段は、選択された商品に対応する第２の情報に基づいて、第１の情報を第２の通信装置に送信する。
【００２４】
好ましくは、第１の通信制御手段は、第１のサーバにおける課金処理が完了した際に、第１のサーバから対応するコンテンツデータを受信する。
【００２５】
この発明の別の局面に従うと、外部の装置と通信するための通信インターフェイスと、少なくとも１つの商品の情報を表示するためのディスプレイと、通信インターフェイスを用いることによって、自身と通信可能であって且つ識別情報を取得可能である他の通信装置を探索するための探索手段と、商品が選択された場合に、通信インターフェイスを用いることによって、通信可能な他の通信装置に、選択された商品に関する第１の情報を送信するための通信制御手段とを備える、通信装置が提供される。
【００２６】
この発明の別の局面に従うと、外部の装置と通信するための通信インターフェイスと、通信インターフェイスを用いることによって、他の通信装置に自身が識別情報を取得可能であることを通知するための通信制御手段と、他の通信装置からの第１の情報に基づいて、商品に関する情報を表示するディスプレイと、他の通信装置からの第１の情報に応じて、識別情報を取得するための取得手段とを備える、通信装置が提供される。
【００２７】
この発明の別の局面に従うと、通信インターフェイスと、ディスプレイと、演算処理部とを備える通信装置に通信させるための通信プログラムが提供される。通信プログラムは、演算処理部に、ディスプレイに、少なくとも１つの商品の情報を表示させるステップと、通信インターフェイスを用いることによって、自身と通信可能であって且つ識別情報を取得可能である他の通信装置を探索するステップと、商品が選択された場合に、通信インターフェイスを用いることによって、通信可能な他の通信装置に、選択された商品に関する第１の情報を送信するステップとを実行させる。
【００２８】
この発明の別の局面に従うと、通信インターフェイスと、ディスプレイと、演算処理部とを備える通信装置に通信させるための通信プログラムが提供される。通信プログラムは、演算処理部に、通信インターフェイスを用いることによって、他の通信装置に自身が識別情報を取得可能であることを通知するステップと、ディスプレイに、他の通信装置からの第１の情報に基づいて、商品に関する情報を表示させるステップと、他の通信装置からの第１の情報に応じて、識別情報を取得するステップとを実行させる。
【００２９】
この発明の別の局面に従うと、情報通信システムにおける通信方法が提供される。通信方法は、第１の通信インターフェイスと第１のディスプレイとを備える第１の通信装置を用意するステップと、第２の通信インターフェイスを備え、第１の通信装置と通信可能であって且つ識別情報を取得可能である第２の通信装置を用意するステップと、第２の通信装置が、第２の通信インターフェイスを用いることによって、第１の通信装置に自身が識別情報を取得可能であることを通知するステップと、第１の通信装置が、第１のディスプレイに、少なくとも１つの商品の情報を表示するステップと、第１の通信装置が、第１の通信インターフェイスを用いることによって、第２の通信装置を探索するステップと、第１の通信装置が、商品が選択された場合に、第１の通信インターフェイスを用いることによって、通信可能な第２の通信装置に、選択された商品に関する第１の情報を送信するステップと、第２の通信装置が、第１の通信装置からの第１の情報に応じて、識別情報を取得するステップとを備える。
【発明の効果】
【００３０】
以上のように、本発明によって、ユーザが、識別情報を取得するための機能を有する携帯電話などの第２の通信装置を保持している場合において、テレビなどの第１の通信装置を利用して商品を購入するときに、当該第２の通信装置が有する機能を利用することができる情報通信システム、通信装置、通信プログラム、および通信方法が提供される。
【図面の簡単な説明】
【００３１】
【図１】実施の形態１に係る情報通信システムの全体構成を示すイメージ図である。
【図２】実施の形態１に係る携帯電話および液晶テレビの構成を示すブロック図である。
【図３】本実施の形態に係るタッチパネルのハードウェア構成を表わすブロック図である。
【図４】表示パネルの構成と当該表示パネルの周辺回路とを示した図である。
【図５】表示パネルとバックライトとの断面図である。
【図６】光センサ回路を動作させる際のタイミングチャートを示した図である。
【図７】スキャンの際にフォトダイオードがバックライトからの光を受光する構成を示した断面図である。
【図８】センシングコマンドの概略構成を示した図である。
【図９】センシングコマンドの各領域におけるデータの値と当該値が示す意味内容とを示した図である。
【図１０】応答データの概略構成を示した図である。
【図１１】指をスキャンすることにより得られた画像を示した図である。
【図１２】記憶部が記憶する登録端末リストのデータ構造を示すイメージ図である。
【図１３】実施の形態１に係る課金サーバの構成を示すブロック図である。
【図１４】コンテンツサーバの構成を示すブロック図である。
【図１５】記憶部が記憶するユーザ登録データベースのデータ構造を示すイメージ図である。
【図１６】ユーザが携帯電話に認証情報を入力する際の画面推移を示す第１のイメージ図である。
【図１７】ユーザが携帯電話に認証情報を入力する際の画面推移を示す第２のイメージ図である。
【図１８】情報通信システムにおけるユーザ登録処理の処理手順を示すシーケンス図である。
【図１９】ユーザ登録処理における液晶テレビの画面推移を示すイメージ図である。
【図２０】情報通信システムにおける端末選択処理の処理手順を示すシーケンス図である。
【図２１】端末選択処理における液晶テレビおよび携帯電話の画面推移を示すイメージ図である。
【図２２】液晶テレビと通信可能な携帯電話が存在しない場合の液晶テレビの画面推移を示すイメージ図である。
【図２３】端末選択処理における液晶テレビから携帯電話に送信されるデータのデータ構造を示すイメージ図である。
【図２４】情報通信システムにおける認証・購入処理の処理手順を示すシーケンスである。
【図２５】認証・購入処理における液晶テレビおよび携帯電話の画面推移を示すイメージ図である。
【図２６】情報通信システムにおける端末選択処理の処理手順の変形例を示すシーケンスである。
【図２７】端末選択処理の変形例における液晶テレビおよび携帯電話の画面推移を示す第１のイメージ図である。
【図２８】端末選択処理の変形例における液晶テレビおよび携帯電話の画面推移を示す第２のイメージ図である。
【図２９】端末選択処理における携帯電話の表示制御データのデータ構造を示すイメージ図である。
【図３０】端末選択処理におけるタッチパネルと各ボタンの表示エリアとの関係を示すイメージ図である。
【図３１】情報通信システムにおける認証・購入処理の第１の変形例における液晶テレビおよび携帯電話の画面推移を示すイメージ図である。
【図３２】情報通信システムにおける認証・購入処理の第２の変形例における携帯電話の画面推移を示すイメージ図である。
【図３３】実施の形態２に係る情報通信システムの全体構成を示すイメージ図である。
【図３４】実施の形態３に係る情報通信システムの全体構成を示すイメージ図である。
【図３５】実施の形態３に係る携帯電話および液晶テレビの構成を示すブロック図である。
【図３６】実施の形態４に係る情報通信システムの全体構成を示すイメージ図である。
【図３７】実施の形態４に係る携帯電話および液晶テレビの構成を示すブロック図である。
【図３８】実施の形態４に係る課金サーバの構成を示すブロック図である。
【発明を実施するための形態】
【００３２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３３】
本発明において取り扱う商品は、映像、音声、画像などのデジタルデータ、それらに関連する関連情報、その他の現実に配達される商品などを意図している。また、商品がテレビ放送、インターネット放送、携帯電話網などのネットワークを介して提供されるデジタルデータである場合、一つの商品が複数のサーバやネットワークから提供されることも可能である。
【００３４】
［実施の形態１］
＜情報通信システム１の全体構成＞
まず、図１を参照して、本実施の形態に係る情報通信システム１の全体構成について説明する。図１は、本実施の形態に係る情報通信システム１の全体構成を示すイメージ図である。
【００３５】
本実施の形態に係る情報通信システム１は、液晶テレビ（第１の通信装置）６００と、リモートコントローラ３００と、携帯電話５００（第２の通信装置）と、課金サーバ７００（第１のサーバ）と、コンテンツサーバ８００（第２のサーバ）とを含む。なお、課金サーバ７００およびコンテンツサーバ８００は同一サービス（サーバ）で構成されていてもよい。
【００３６】
液晶テレビ６００は、Ｗｅｂページなどの画像を表示する。液晶テレビ６００は、たとえば、プラズマテレビなどディスプレイを保有する他の装置であってもよい。また、液晶テレビ６００は、画像を表示するための表示装置と、当該表示装置に表示させるための画像データを送信する画像データ送信装置とから構成される装置であってもよい。画像データ送信装置としては、たとえば、ＳＴＢ（Set  Top  Box）、ＨＤＤレコーダ、ＤＶＤ（Digital  Versatile  Disc）レコーダ、ＢＤ（Blu-ray  Disc）レコーダ等が挙げられる。
【００３７】
液晶テレビ６００は、ネットワーク８０を介してコンテンツサーバ８００に接続可能である。液晶テレビ６００は、コンテンツサーバ８００からＷｅｂページのデータをダウンロードしたり、商品としてのデジタルデータをダウンロードしたりする。
【００３８】
携帯電話５００は、電話網と、無線によりデータ通信可能である。電話網は、たとえば、携帯電話のための電話網である。携帯電話５００は、ＰＤＡ（Personal  Digital  Assistance）、ノート型パーソナルコンピュータ、電子辞書、スマートフォンなどのような、ユーザが持ち運ぶことができる情報通信端末であってもよい。
【００３９】
携帯電話５００は、ネットワーク７０を介して課金サーバ７００とデータ通信を行なう。携帯電話５００は、ユーザ認証を行ない、認証結果を課金サーバ７００に送信する。
【００４０】
リモートコントローラ３００は、液晶テレビ６００とデータ通信を行なう。リモートコントローラ３００は、たとえば、赤外線を用いて、液晶テレビ６００にチャンネルの切り換え命令を送信したり、商品の選択命令を送信したり、通信端末の選択命令を送信したりする。
【００４１】
携帯電話５００と、液晶テレビ６００とは、無線または有線でデータ通信を行なう。すなわち、携帯電話５００と、液晶テレビ６００と、リモートコントローラ３００とから、映像表示システムが構成される。
【００４２】
コンテンツサーバ８００は、ネットワーク８０を介して、コンテンツ自体およびコンテンツに関連する情報等を液晶テレビ６００に提供するサーバである。コンテンツは、たとえば、静止画像データ、動画像データ、音楽データ等である。コンテンツが、たとえば、番組の動画像データである場合、コンテンツに関連する情報とは、たとえば、番組情報、コンテンツの価格、コンテンツのデータ量などである。コンテンツサーバ８００は、ワークステーションやパーソナルコンピュータであってもよい。
【００４３】
また、コンテンツサーバ８００は、コンテンツや他の商品を販売するためのＷｅｂページ情報を記憶する。コンテンツサーバ８００は、液晶テレビ６００らの要求に応じて、液晶テレビ６００のユーザが所望する商品の販売サイトのＷｅｂページを示すためのデータを、ネットワーク８０を介して液晶テレビ６００へと送信する。
【００４４】
課金サーバ７００は、ネットワーク７０を介して、携帯電話５００との間で課金処理を行なう。たとえば、課金サーバ７００は、携帯電話５００からユーザの認証結果、商品を識別するための情報、商品の価格などを受信して、ユーザのクレジットカード番号を使って商品の価格に見合う金額を引き落としたりする。クレジットカードによる決済以外にも、例えば、携帯電話通信事業者における通話料に対する課金・決済や、携帯電話に搭載されている電子マネー機能による決済であってもよい。また、先払い、後払いのいずれの形態であってもよい。
【００４５】
＜情報通信システム１の動作概要＞
次に、図１を参照して、本実施の形態に係る情報通信システム１の動作概要について説明する。以下では、ユーザが、液晶テレビ６００を利用して商品を閲覧し、携帯電話５００を利用してユーザ認証を行なうことによって、当該商品（デジタルデータ）を購入する場合について説明する。
【００４６】
まず、設定段階の動作概要について説明する。ステップ（１）として、携帯電話５００は、ユーザを認証するための認証情報を記憶する。携帯電話５００は、携帯電話５００のユーザ（たとえば所有者）の指紋画像やサイン画像などを認証情報として登録する。なお、指紋やサインの画像そのものではなく、それらから抽出した情報であってもよい。
【００４７】
ステップ（２）として、携帯電話５００は、自身を液晶テレビ６００に登録する。このとき、携帯電話５００と液晶テレビ６００とは、Bluetooth（登録商標）を利用してペアリングを行なう。液晶テレビ６００は、携帯電話５００をBluetooth（登録商標）の相手として登録する。すなわち、液晶テレビ６００は、携帯電話５００を識別するための情報を記憶することによって、携帯電話５００をユーザ登録する。
【００４８】
ステップ（３）として、液晶テレビ６００は、ネットワーク８０を介して、携帯電話５００をコンテンツサーバ８００が提供するサービスにユーザ登録する。コンテンツサーバ８００は、携帯電話５００を識別するための情報をサービスに対応付けて記憶することによって、携帯電話５００を当該サービスに登録する。ここまでが、設定段階である。
【００４９】
次に、端末選択段階の動作概要について説明する。ステップ（４）として、ユーザは、液晶テレビ６００を利用してＷｅｂページを閲覧しながら、リモートコントローラ３００を利用して商品を選択する。より詳細には、液晶テレビ６００は、コンテンツサーバ８００からのＷｅｂページをユーザに表示する。Ｗｅｂページは、提示する商品に関する情報（商品の名称、商品の画像、商品の価格、購入条件など）を含む。
【００５０】
ユーザがリモートコントローラ３００を用いて所望の商品を選択すると、液晶テレビ６００は、自身が通信可能であって、識別情報の取得やユーザ認証が可能な携帯電話５００を探索する。識別情報の取得やユーザ認証が可能な携帯電話５００は、自身が識別情報の取得やユーザ認証が可能である旨を液晶テレビ６００に応答する。液晶テレビ６００は、携帯電話５００からの応答メッセージを受け付けて、ネットワーク８０を介して検出された（探索された）携帯電話５００の識別情報や選択命令をコンテンツサーバ８００に送信する。
【００５１】
ステップ（５）として、コンテンツサーバ８００は、上記の通信可能な携帯電話５００のうち上述の設定段階にて既にユーザ登録されている携帯電話５００に関する識別情報を液晶テレビ６００に送信する。
【００５２】
ステップ（６）として、液晶テレビ６００は、選択された商品に関する情報（第１の情報）と認証命令とを携帯電話５００に送信する。より詳細には、本実施の形態においては、液晶テレビ６００は、リモートコントローラ３００などを介してユーザから認証用の携帯電話５００を選択する命令を受け付ける。すなわち、液晶テレビ６００は、コンテンツサーバ８００から識別情報を受信した携帯電話５００のうちのユーザによって選択された携帯電話５００に対して、選択された商品に関する情報（第１の情報）と認証命令とを送信する。なお、液晶テレビ６００は、第１の情報を認証命令として携帯電話５００に送信してもよい。
【００５３】
次に、認証・購入段階の動作概要について説明する。ステップ（７）として、携帯電話５００はユーザ認証を行なう。より詳細には、たとえば、携帯電話５００は、第１の情報を受け付けて、ユーザの指によるタッチ操作を受け付ける。携帯電話５００は、指紋画像を識別情報として取得する。この場合、携帯電話５００は、指紋認証を行なう。あるいは、携帯電話５００は、第１の情報を受け付けて、スタイラスペンによるタッチ操作を受け付ける。携帯電話５００は、サイン画像を識別情報として取得する。この場合、携帯電話５００は、サイン認証を行なう。
【００５４】
あるいは、携帯電話５００は、カードのＩＣチップや磁気テープを読み取って識別情報を取得する。この場合は、ＩＣチップや磁気テープに格納されているデータに基づいてユーザ認証を行なう。
【００５５】
ステップ（８）として、携帯電話５００は、ネットワーク７０を介して認証結果と第１の情報とを課金サーバ７００に送信する。課金サーバ７００は、認証結果と第１の情報とに基づいて、ユーザから料金を徴収する。すなわち、課金サーバ７００は、選択された商品に対応する課金処理（あるいは決済処理）を行なう。
【００５６】
ステップ（９）として、課金サーバ７００は、課金処理が正常に完了すると、課金処理が完了した旨のメッセージをネットワーク７０を介して携帯電話５００に送信する。なお、携帯電話５００と課金サーバ７００とのやり取りはこれに限らず、課金・決済の方法によって様々な形であってよい。
【００５７】
ステップ（１０）として、携帯電話５００は、課金処理が完了した旨のメッセージを液晶テレビ６００に送信する。液晶テレビ６００は、ネットワーク８０を介して、課金処理が完了した旨のメッセージをコンテンツサーバ８００に送信する。
【００５８】
ステップ（１１）として、コンテンツサーバ８００は、課金処理が完了した旨のメッセージを受け付けて、ネットワーク８０を介して選択された商品（デジタルデータ）を液晶テレビ６００に送信する。このとき、コンテンツサーバ８００は、図示しないネットワークを介して、課金サーバ７００に課金処理の完了を確認してもよい。液晶テレビ６００は、商品（デジタルデータ）を携帯電話５００に送信する。これによって、携帯電話５００は、商品（デジタルデータ）に基づいて、コンテンツを表示することが可能になる。
【００５９】
ただし、液晶テレビ６００は、コンテンツサーバ８００からの商品（デジタルデータ）を自身のＨＤＤなどに格納してもよい。この場合、液晶テレビ６００は、ＨＤＤの商品（デジタルデータ）に基づいて、コンテンツを表示することが可能になる。
【００６０】
また、コンテンツサーバ８００は、課金処理が完了した旨のメッセージを受け付けて、当該メッセージをコンテンツサーバ８００の管理者に表示してもよい。当該管理者は、当該メッセージに基づいて商品を携帯電話５００のユーザに配送してもよい。
【００６１】
このように、本実施の形態に係る情報通信システム１は、液晶テレビ６００が第１の情報を携帯電話５００に送信するため、携帯電話５００は当該第１の情報を表示したり、当該第１の情報に基づいて課金サーバ７００とともに課金処理を行なうことが可能になる。すなわち、本実施の形態に係る情報通信システム１は、液晶テレビ６００が第１の情報を携帯電話５００に送信すること、携帯電話５００が第１の情報を表示すること、携帯電話５００が識別情報を読み取ること、携帯電話５００が認証処理を行なうこと、携帯電話５００が第１の情報と認証結果とに基づいて課金サーバ７００とともに課金処理を行なうことができる。
【００６２】
以下、このような機能を実現するための構成について詳述する。
＜携帯電話５００の構成＞
まず、図２を参照して、情報通信システム１を構成する携帯電話５００の具体的構成の一態様について説明する。図２は、本実施の形態に係る携帯電話５００および液晶テレビ６００の構成を示すブロック図である。なお、図２は、説明のために、記録媒体５５５も示している。記録媒体５５５には、後述するプログラム１８０Ａが記録されている。すなわち、プログラム１８０Ａは、媒体等に記録されてプログラム製品として流通される。また、記録媒体５５５自身もプログラム製品として流通される。
【００６３】
携帯電話５００は、ＣＰＵ５１０と、一時記憶部５２２と、記憶部５２０とを含む。
記憶部５２０は、データを不揮発的に記憶する機能を有する。記憶部５２０は、ＣＰＵ５１０によってデータアクセスされる。記憶部５２０は、電源を供給されなくてもデータを不揮発的に保持可能な媒体（たとえば、フラッシュメモリ）である。記憶部５２０は、プログラム１８０Ａ、後述する認証情報１８０Ｂ、商品テーブル１８０Ｌ、その他の各種データ等を記憶する。プログラム１８０Ａは、後述する、リモートコントローラプログラムを含む。
【００６４】
ＣＰＵ５１０は、記憶部５２０に記憶されたプログラム１８０Ａに従って、携帯電話５００内の各部に対する各種処理や、演算処理等を行なう機能を有する。ＣＰＵ５１０は、マイクロプロセッサ（Microprocessor）、ＦＰＧＡ（Field  Programmable  Gate  Array）、ＡＳＩＣ（Application  Specific  Integrated  Circuit）、ＤＳＰ（Digital  Signal  Processor）およびその他の演算機能を有する回路のいずれであってもよい。
【００６５】
一時記憶部５２２は、ＣＰＵ５１０によってデータアクセスされ、一時的にデータを記憶するワークメモリとして使用される。一時記憶部５２２は、ＲＡＭ（Random  Access  Memory）、ＳＲＡＭ（Static  Random  Access  Memory）、ＤＲＡＭ（Dynamic  Random  Access  Memory）、ＳＤＲＡＭ（Synchronous  DRAM）、ＤＤＲ−ＳＤＲＡＭ（Double  Data  Rate  SDRAM）、ＲＤＲＡＭ（Rambus  Dynamic  Random  Access  Memory（登録商標））、Ｄｉｒｅｃｔ−ＲＤＲＡＭ（Direct  Rambus  Dynamic  Random  Access  Memory（登録商標））、その他、データを揮発的に記憶保持可能な構成を有する回路のいずれであってもよい。
【００６６】
携帯電話５００は、さらに、ＶＤＰ５３２と、ＶＲＡＭ（Video  Random  Access  Memory）５３６と、タッチパネル５３０とを含む。
【００６７】
ＶＲＡＭ５３６は、画像データを一時的に記憶する機能を有する。
ＣＰＵ５１０は、記憶部５２０に記憶されたプログラム１８０Ａに従って、ＶＤＰ５３２に対し、描画指示を出す。描画指示とは、画像を生成し、当該画像をタッチパネル５３０に表示させる指示である。
【００６８】
ＶＤＰ５３２はタッチパネル５３０と接続されている。ＶＤＰ５３２は、ＣＰＵ５１０からの描画指示に応じて、記憶部５２０内の後述するプログラム１８０Ａからフォントデータ、図形データ等を読出し、ＶＲＡＭ５３６を利用して画像を生成する。そして、ＶＤＰ５３２は、ＶＲＡＭ５３６に記憶された画像データを読出し、タッチパネル５３０に、当該画像データに基づく画像を表示させる。
【００６９】
本実施の形態に係るタッチパネル５３０は、ユーザの識別情報を読み取る。本実施の形態に係るタッチパネル５３０の詳細な構成については後述する。
【００７０】
携帯電話５００は、さらに、入力部５４０と、記録媒体アクセス部５５６を含む。
ＣＰＵ５１０は、入力部５４０に含まれる、複数のボタンのうち、短押操作または長押操作があったボタンに対応するボタン信号を、入力部５４０から受信する。ＣＰＵ５１０は、受信したボタン信号に応じた処理を行なう。
【００７１】
記録媒体アクセス部５５６は、記録媒体５５５が前述の記録媒体挿入部から携帯電話５００に挿入（装着）されると、記録媒体５５５にデータアクセス可能となる。これにより、記録媒体アクセス部５５６は、記録媒体５５５から、プログラム１８０Ａを読出すことが可能となる。
【００７２】
記録媒体５５５に記憶されているプログラム１８０Ａは、ＣＰＵ５１０のインストール処理により、記録媒体アクセス部５５６により読み出され、ＣＰＵ５１０が、プログラム１８０Ａを、記憶部５２０に記憶させる。このインストール処理用プログラムは、予め、記憶部５２０に格納されており、インストール処理は、ＣＰＵ５１０が、インストール処理用プログラムに基づいて行なう。
【００７３】
なお、記憶部５２０には、プログラム１８０Ａがインストールされていなくてもよい。この場合、ＣＰＵ５１０は、記録媒体アクセス部５５６を介して、記録媒体５５５に記憶されたプログラム１８０Ａを読み出して、プログラム１８０Ａに基づいた所定の処理を行なう。記録媒体５５５には、さらに、コンテンツデータ等も記録されている。コンテンツデータは、たとえば、音楽データ、動画像データ等である。
【００７４】
記録媒体５５５は、フロッピー（登録商標）ディスク、ＣＦ(Compact  Flash（登録商標）)  カード、ＳＭ（Smart  Media（登録商標））、ＭＭＣ（Multi  Media  Card（登録商標））、ＳＤ（Secure  Digital（登録商標））メモリーカード、メモリースティック（登録商標）、ｘＤピクチャーカード（登録商標）および上記以外の不揮発性メモリのいずれであってもよい。また、ハードディスクなどの磁気メモリであってもよい。
【００７５】
携帯電話５００は、さらに、通信部（通信インターフェイス）５６０と、通信部（通信インターフェイス）５６２とを含む。
【００７６】
通信部５６０は、ＣＰＵ５１０とデータの送受信を行なう。また、通信部５６０は、液晶テレビ６００と有線または無線で、データの送受信を行なう機能を有する。
【００７７】
通信部５６０は、ＵＳＢ（Universal  Serial  Bus）１．１またはＵＳＢ２．０の規格に基づく、シリアル転送を行なう通信用インターフェイスの機能を有する。なお、シリアル転送を行なう通信用インターフェイスの規格は、ＵＳＢ１．１またはＵＳＢ２．０に限定されることなく他の規格であってもよい。
【００７８】
さらに、通信部５６０は、パラレル転送を行なう通信用インターフェイスの機能を有していてもよい。パラレル転送を行なう通信用インターフェイスは、たとえば、セントロニクス準拠の規格またはＩＥＥＥ１２８４（Institute  of  Electrical  and  Electronic  Engineers  1284）の規格に準拠したインターフェイスである。また、通信部５６０は、ＩＥＥＥ１３９４またはＳＣＳＩ規格に基づく通信用インターフェイスの機能を有していてもよい。
【００７９】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式や無線ＬＡＮの規格である、ＩＥＥＥ８０２．１１ａ、ＩＥＥＥ８０２．１１ｂおよびＩＥＥＥ８０２．１１ｇのいずれかに基づく無線技術であってもよい。通信部５６０は、ＣＰＵ５１０からの制御指示に応じて、液晶テレビ６００と無線でデータ通信を行なう。
【００８０】
通信部５６２は、ＣＰＵ５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００８１】
また、通信部５６２は、さらに、イーサネット（登録商標）を利用した通信用インターフェイスの機能を有する。したがって、通信部５６２は、たとえば、ＬＡＮケーブルを介して、通信部５０とデータ通信を行なうことができる。
【００８２】
したがって、本実施の形態における携帯電話５００は、ネットワーク７０から、通信部５０および通信部５６２を介して、プログラムのダウンロード処理を行ない、記憶部５２０に格納することもできる。この場合、当該ダウンロードしたプログラムは、プログラム１８０Ａである。
【００８３】
ＣＰＵ５１０は、ネットワーク７０からダウンロードしたプログラム（プログラム１８０Ａ）に従って、所定の処理を行なう。このダウンロード用プログラムは、予め、記憶部５２０に格納されており、ダウンロード処理は、ＣＰＵ５１０が、ダウンロード用プログラムに基づいて行なう。なお、プログラム等のダウンロードは後述する通信部５６６で行なってもよい。
【００８４】
携帯電話５００は、さらに、アンテナ５６４と、通信部５６６とを含む。
アンテナ５６４は、通信部５６６と接続されている。すなわち、両者は、通信インターフェイスを実現する。通信部５６６は、アンテナ５６４を利用して、無線通信信号を送受信する機能を有する。通信部５６６は、ＣＰＵ５１０により指示された周波数の無線通信信号を、アンテナ５６４を介して受信する。無線通信信号は、音声データ、文字データおよび画像データ等を含む信号である。
【００８５】
通信部５６６は、アンテナ５６４を利用して、無線通信信号により、図示しない最寄の基地局と通信を行なう。最寄の基地局は、電話網と通信を行なうことができる。したがって、通信部５６６は、アンテナ５６４を利用して、無線通信信号により、最寄の基地局を介して、電話網と通信を行なう。通信部５６６は、無線通信信号を受信した場合、当該無線通信信号を復調し、復調した無線通信信号に基づくデータを、ＣＰＵ５１０へ送信する。また、通信部５６６は、無線通信信号を送信する場合、ＣＰＵ５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網へ送信する。
【００８６】
通信部５６６は、最寄の基地局と通信を行なうことで、基地局の位置を示す情報（以下、基地局位置情報ともいう）も取得可能である。通信部５６６は、ＣＰＵ５１０からの制御指示に応じて、取得した基地局位置情報を、ＣＰＵ５１０へ送信する。ＣＰＵ５１０は、受信した基地局位置情報に基づいて、携帯電話５００の位置を大まかに把握することができる。
【００８７】
また、通信部５６６は、ＧＰＳ（Global  Positioning  System）機能を有する。ＧＰＳ機能とは、人口衛星と通信して、携帯電話５００の位置（緯度、経度、高度等に基づく位置）の情報（以下、ＧＰＳ位置情報ともいう）を取得する機能である。通信部５６６は、ＣＰＵ５１０からの制御指示に応じて、ＧＰＳ位置情報を取得し、ＣＰＵ５１０へ送信する。
【００８８】
ＣＰＵ５１０は、音声出力部５７０、音声入力部５７４とデータ通信する。
ＣＰＵ５１０が、音声データを音声出力部５７０へ送信すると、音声出力部５７０は、ＣＰＵ５１０から受信した音声データに基づく音声をスピーカから出力する。
【００８９】
ユーザが音声入力部５７４に含まれるマイクに対して音声を発すると、音声入力部５７４は、マイクにより取得した音声を音声データに変換して、音声データを、ＣＰＵ５１０へ送信する。
【００９０】
ＣＰＵ５１０は、ＬＥＤ５７６、撮像部５７８とデータ通信する。ＬＥＤ５７６は、ＣＰＵ５１０からの制御指示に基づいて、光を発する。
【００９１】
撮像部５７８は、ＣＰＵ５１０からの制御指示に基づいて、前述の撮像処理を行ない、撮像画像データをＣＰＵ５１０へ送信する。ＣＰＵ５１０は、撮像画像データを受信すると、撮像画像データを、一時記憶部５２２、記憶部５２０および記録媒体５５５のいずれかに記憶させる。
【００９２】
携帯電話５００は、さらに、振動部５７９を含む。振動部５７９は、ＣＰＵ５１０からの制御指示に基づいて、携帯電話５００を振動させる機能を有する。振動部５７９は、たとえば、電話の着信、電子メールの受信時に、ＣＰＵ５１０からの制御指示に基づいて、携帯電話５００を振動させる。
【００９３】
携帯電話５００は、さらに、ＲＦＩＤ５７７を含む。ＲＦＩＤ５７７は、たとえば、FeliCa（登録商標）などのＲＦＩＤ（Radio  Frequency  Identification）に基づく集積回路で、非接触で図示しない読み取り端末と通信を行なう。また、ＲＦＩＤ５７７は、ＣＰＵ５１０からの制御指示に基づいて、端末ＩＤなどのデータを出力する。
【００９４】
（タッチパネル５３０のハードウェア構成）
次に、図３を参照して、本実施の形態に係るタッチパネル５３０の具体的構成の一態様について説明する。図３は、本実施の形態に係るタッチパネル５３０のハードウェア構成を表わすブロック図である。
【００９５】
タッチパネル５３０は、ドライバ１３０と、光センサ内蔵液晶パネル１４０（以下、液晶パネル１４０ともいう）と、内部ＩＦ１７８と、バックライト１７９と、画像処理エンジン１８０とを含む。
【００９６】
ドライバ１３０は、液晶パネル１４０およびバックライト１７９を駆動するための駆動回路である。ドライバ１３０に含まれる各種の駆動回路については、後述する。
【００９７】
液晶パネル１４０は、液晶ディスプレイの機能と光センサの機能とを備えたデバイスである。つまり、液晶パネル１４０は、液晶を用いた画像の表示と、光センサを用いたセンシングとを行なうことができる。液晶パネル１４０の詳細については、後述する。
【００９８】
内部ＩＦ（Interface）１７８は、ＶＤＰ５３６およびＣＰＵ５１０と、タッチパネル５３０と、の間でデータの遣り取りを仲介する。
【００９９】
バックライト１７９は、液晶パネル１４０の裏面に配置された光源である。バックライト１７９は、当該裏面に対して均一な光を照射する。
【０１００】
画像処理エンジン１８０は、ドライバ１３０を介して液晶パネル１４０の動作を制御する。ここで、当該制御は、内部ＩＦ１７８を介してＣＰＵ５１０およびＶＤＰ５３２から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介してＣＰＵ５１０に送る。さらに、画像処理エンジン１８０は、ドライバ制御部１８１と、タイマ１８２と、信号処理部１８３とを含む。
【０１０１】
ドライバ制御部１８１は、ドライバ１３０に対して制御信号を送ることによりドライバ１３０の動作を制御する。また、ドライバ制御部１８１は、ＣＰＵ５１０およびＶＤＰ５３２から送られてくるコマンドを解析する。そして、ドライバ制御部１８１は、当該解析の結果に基づいた制御信号をドライバ１３０に送る。ドライバ１３０の動作の詳細については、後述する。
【０１０２】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、ＣＰＵ５１０およびＶＤＰ５３２から送られてくるコマンドの内容に応じたデータ処理を行なう。そして、信号処理部１８３は、上記データ処理を行った後のデータと、タイマ１８２から取得した時刻情報とを含んだデータ（以下、応答データと称する）をＣＰＵ５１０に送る。また、信号処理部１８３は、後述するスキャンデータを連続して複数格納できるＲＡＭ（図示せず）を備えている。
【０１０３】
上記コマンドは、上記光センサによりセンシングを指示するセンシングコマンドを含む。当該センシングコマンドの詳細および上記応答データの詳細については、後述する（図８〜図１０）。
【０１０４】
なお、タイマ１８２は、必ずしも画像処理エンジン１８０に備えられている必要はない。たとえば、タイマ１８２は、タッチパネル５３０内における、画像処理エンジン１８０の外部に備えられていてもよい。あるいは、タイマ１８２は、ＣＰＵ５１０に備えられていてもよい。
【０１０５】
ここで、タッチパネル５３０は、システム液晶に含まれている。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、タッチパネル５３０が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【０１０６】
（液晶パネル１４０の構成および駆動について）
次に、液晶パネル１４０の構成と、当該液晶パネル１４０の周辺回路の構成とについて説明する。図４は、液晶パネル１４０の構成と、当該液晶パネル１４０の周辺回路とを示した図である。
【０１０７】
図４を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【０１０８】
また、図３に示したタッチパネル５３０のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【０１０９】
走査信号線駆動回路１３１は、図３に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin  Film  Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【０１１０】
データ信号線駆動回路１３２は、図３に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【０１１１】
なお、ここでは、いわゆる線順次方式と呼ばれる駆動方式を用いて説明したが、駆動方式はこれに限定されるものではない。
【０１１２】
画素回路１４１は、１つの画素の輝度（透過率）を設定するための回路である。また、画素回路１４１は、マトリクス状にｍ×ｎ個配されている。より詳しくは、画素回路１４１は、図４の縦方向にｍ個、横方向にｎ個配されている。
【０１１３】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【０１１４】
なお、ｎ型のトランジスタとｐ型のトランジスタとを作れるＣＭＯＳ（Complementary  Metal  Oxide  Semiconductor）を実現できること、キャリア（電子または正孔）の移動速度がアモルファスシリコン薄膜トランジスタ（a-Si  TFT）に比べて数百倍早いことなどから、タッチパネル５３０では、ＴＦＴ１４２として多結晶シリコン薄膜トランジスタ(p-Si  TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【０１１５】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【０１１６】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【０１１７】
光センサ駆動回路１３３は、図３に示すドライバ制御部１８１から制御信号ＴＣ２を受ける。
【０１１８】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【０１１９】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【０１２０】
なお、電圧ＶＤＤＲを印加するタイミング、および電圧ＶＤＤを印加するタイミングについては、後述する。
【０１２１】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【０１２２】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【０１２３】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【０１２４】
スイッチ１３４は、センサ信号線（ＳＤ１〜ＳＤｎ）に対して、予め定められた電圧を印加するか否かを切り換えるために設けられたスイッチである。スイッチ１３４の切り換え動作は、光センサ駆動回路１３３により行われる。なお、スイッチ１３４が導通状態となった場合にセンサ信号線（ＳＤ１〜ＳＤｎ）に印加される電圧については、後述する。
【０１２５】
アンプ１３５は、各センサ信号線（ＳＳ１〜ＳＳｎ）から出力された電圧を増幅する。なお、増幅された電圧は、図３に示した信号処理部１８３に送られる。
【０１２６】
なお、画素回路１４１を用いて画像を液晶パネル１４０に表示させるタイミングと、光センサ回路１４４を用いてセンシングするタイミングとについては、画像処理エンジン１８０が制御する。
【０１２７】
図５は、液晶パネル１４０とバックライト１７９との断面図である。図５を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【０１２８】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図５には示していないが、アクティブマトリクス基板１５１Ａは、図４に示した、コンデンサ１４６と、ＴＦＴ１４７と、ＴＦＴ１４２と、走査信号線Ｇｉとを含む。
【０１２９】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【０１３０】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【０１３１】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【０１３２】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【０１３３】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【０１３４】
なお、フォトダイオード１４５の位置は、上記の位置に限定されるものではなく、カラーフィルタ１５３ｒに対向する位置やカラーフィルタ１５３ｇに対向する位置に設けることも可能である。
【０１３５】
ここで、光センサ回路１４４の動作について説明する。図６は、光センサ回路１４４を動作させる際のタイミングチャートを示した図である。図６において、電圧ＶＩＮＴは、光センサ回路１４４内のノードＮにおける電位を示している。また、電圧ＶＰＩＸは、図４に示したセンサ信号線ＳＳｊからの出力電圧であって、アンプ１３５によって増幅される前の電圧を示している。
【０１３６】
以下では、光センサ回路１４４をリセットするためのリセット期間と、光センサ回路１４４を用いて光をセンシングするためのセンシング期間と、センシングした結果を読み出す読出期間とに分けて説明する。
【０１３７】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切り換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【０１３８】
ＶＩＮＴ＝ＶＳＳＲ＋｜ＶＤＤＲ−ＶＳＳＲ｜−Ｖｆ  …  （１）
それゆえ、ノードＮの電位は、図６に示すとおり、電圧ＶＤＤＲよりもＶｆだけ小さな値となる。
【０１３９】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【０１４０】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１４１】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図６に示すとおり、ノードＮの電位（つまり、電圧ＶＩＮＴ）は時間の経過とともに低くなる。
【０１４２】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１４３】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１４４】
このように、読出信号線ＲＷｉにハイレベルの電圧を瞬間的に印加することにより、図６に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１４５】
この際、ＴＦＴ１４７のドレイン側に接続されたセンサ信号線ＳＤｊ（図４参照）に予め一定電圧を印加しておけば、ＴＦＴ１４７のソース側に接続されたセンサ信号線ＳＳｊからは、図６のＶＰＩＸのグラフに示すとおり、ノードＮの電位に応じた電圧が出力される。
【０１４６】
ここで、フォトダイオード１４５が受光する光の量（以下、受光量と称する）が少ないと、図６のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１４７】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１４８】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図４における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１４９】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１５０】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１５１】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１５２】
なお、タッチパネル５３０においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１５３】
また、上記においては、ｍ×ｎ個の光センサ回路全てを用いてスキャンを行なう構成を例に挙げたが、これに限定されるものではない。予め選択された光センサ回路を用いて、液晶パネル１４０の表面の一部の領域に関してスキャンを行なうことも構成としてもよい。
【０１５４】
以下では、携帯電話５００が、両構成のいずれの構成をも採れるものとする。さらに、当該構成間の切り換えは、入力部５４０を介した入力などに基づくＣＰＵ５１０およびＶＤＰ５３２から送られてくるコマンドにより行われるものとする。なお、液晶パネル１４０の表面の一部の領域に関してスキャンを行なう場合、画像処理エンジン１８０が、スキャン対象領域の設定を行なう。なお、当該領域の設定を、入力部５４０を介してユーザが指定できる構成としてもよい。
【０１５５】
このように、液晶パネル１４０の表面の一部の領域に関してスキャンを行なう場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、ＣＰＵ５１０およびＶＤＰ５３２から画像処理エンジン１８０に送られてくるコマンドに基づく。
【０１５６】
図７は、液晶パネル１４０とバックライト１７９との断面図であって、スキャンの際にフォトダイオード１４５がバックライト１７９からの光を受光する構成を示した図である。
【０１５７】
図７を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１５８】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１５９】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１６０】
以上により、タッチパネル５３０は、指９００によって光が反射されることにより得られる像（以下、反射像とも称する）をスキャンすることができる。なお、指９００以外のスキャン対象物としては、スタイラスペン９９やカードに印刷されたバーコードなどが挙げられる。より詳細には、タッチパネル５３０は、指９００からの反射光に基づいて指紋画像を取得したり、スタイラスペン９９からの反射光に基づいてセンシング毎のスタイラスペン９９とタッチパネル５３０との接触座標を取得したり、カードに記載されたバーコードからの反射光に基づいてユーザＩＤを取得したりすることができる。
【０１６１】
ところで、本実施の形態においては、携帯電話５００の表示装置としてタッチパネルを例に挙げて説明しているが、タッチパネルの代わりに有機ＥＬ（Electro-Luminescence）パネルなどの他のパネルと他の認証デバイスとを用いてもよい。
【０１６２】
（データについて）
次に、センシングコマンドについて説明する。なお、タッチパネル５３０においては、画像処理エンジン１８０は、センシングコマンドの内容を解析し、当該解析の結果に従ったデータ（つまり、応答データ）をＣＰＵ５１０に送り返す。
【０１６３】
図８は、センシングコマンドの概略構成を示した図である。図８を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１６４】
図９は、センシングコマンドの各領域におけるデータの値と、当該値が示す意味内容とを示した図である。
【０１６５】
図９を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１６６】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１６７】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１６８】
なお、上記座標値と上記部分画像または上記全体画像とを同時に要求する構成としてもよい。また、液晶パネル１４０の表面の一部の領域に関してスキャンを行なう構成の場合には、上記全体画像はスキャンが行われる領域に対応した画像となる。
【０１６９】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１３）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切り換えて、スキャン対象物のスキャンを行なうことを指す。
【０１７０】
画像階調を示すデータ領域に「００」が設定されたセンシングコマンドは、白黒の２値の画像データを要求する。たとえば、ＣＰＵ５１０が、接触領域を示すデータとして２値画像データを画像処理エンジン１８０に要求してもよい。画像処理エンジン１８０が、後述する取得部５１０２を実現してもよい。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１７１】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１７２】
また、センシングコマンドには、図８および図９に示したデータ以外に、スキャンを行なう領域（光センサ回路１４４を駆動する画素の領域）の指定、スキャンを行なうタイミング、バックライト１７９の点灯のタイミングなどが記述されている。
【０１７３】
図１０は、応答データの概略構成を示した図である。応答データは、センシングコマンドの内容に応じたデータであって、タッチパネル５３０の画像処理エンジン１８０がＣＰＵ５１０に対して送信するデータである。
【０１７４】
図１０を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１７５】
図１１は、指９００をスキャンすることにより得られた画像（つまり、スキャン画像）を示した図である。図１１を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１７６】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１７７】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行なうことにより決定される。つまり、中心座標は、部分画像の図心とは必ずしも一致しない。
【０１７８】
ただし、必ずしも中心座標の位置は上記に限定されるものではなく、中心座標を上記図心の座標あるいは図心の近傍の座標としてもよい。
【０１７９】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書き込みを行なった後、当該中心座標の値を含む応答データをＣＰＵ５１０に送る。このように、データ種別を示すデータ領域に「００１」が設定されている場合には、センシングコマンドは、画像データの出力を要求せずに、中心座標の値の出力を要求する。
【０１８０】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書き込みを行なった後、当該部分画像の画像データを含む応答データをＣＰＵ５１０に送る。このように、データ種別を示すデータ領域に「０１０」が設定されている場合には、センシングコマンドは、中心座標の値の出力を要求せずに、スキャン結果が変化した部分画像の画像データの出力を要求する。
【０１８１】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１８２】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データをＣＰＵ５１０に送る。このように、データ種別を示すデータ領域に「０１１」が設定されている場合には、センシングコマンドは、中心座標の値の出力と、スキャン結果が変化した部分画像の画像データの出力とを要求する。
【０１８３】
また、センシングコマンドのデータ種別を示すデータ領域に「１００」が設定されている場合には、画像処理エンジン１８０は、図１０に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書き込みを行なった後、当該全体画像の画像データを含む応答データをＣＰＵ５１０に送る。このように、データ種別を示すデータ領域に「１００」が設定されている場合には、センシングコマンドは、中心座標の値の出力を要求せずに、全体画像の画像データの出力を要求する。
【０１８４】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データをＣＰＵ５１０に送る。このように、データ種別を示すデータ領域に「１０１」が設定されている場合には、センシングコマンドは、中心座標の値の出力と、全体画像の画像データの出力とを要求する。
【０１８５】
（ＣＰＵ５１０の機能構成）
図２に戻って、携帯電話５００のＣＰＵ５１０が有する機能について説明する。本実施の形態に係るＣＰＵ５１０は、通信制御部５１０１と、取得部５１０２と、認証部５１０３と、登録部５１０４の機能を有する。具体的には、ＣＰＵ５１０は、プログラム１８０Ａを実行することによって、上記の機能を実現する。
【０１８６】
通信制御部５１０１は、通信部５６０を利用することによって、携帯電話５００が有する各種の機能を示す情報を液晶テレビ６００に送信する。たとえば、通信制御部５１０１は、液晶テレビ６００からのメッセージを受け付けて、携帯電話５００を識別するための端末ＩＤ、端末の名称、認証機能の有無、課金および決済機能の有無、情報読取機能の有無、現在の通信の可否などを示す情報を液晶テレビ６００に送信する。また、通信制御部５１０１は、通信部５６２を利用することによって、後述する認証結果を課金サーバ７００に送信する。
【０１８７】
取得部５１０２は、タッチパネル５３０から識別情報としての画像データを取得する。たとえば、後述する認証部５１０３が指紋認証を行なう場合には、取得部５１０２はタッチパネル５３０から指紋画像を示す画像データを取得する。
【０１８８】
たとえば、後述する認証部５１０３がサイン認証を行なう場合には、取得部５１０２はタッチパネル５３０から順次接触領域を示す画像データを取得する。そして、取得部５１０２は、順次接触領域の中心座標（重心座標）を計算して、当該中心座標の軌跡（サイン画像）を識別情報として取得する。すなわち、取得部５１０２は、タッチパネル５３０から接触領域の中心座標（重心座標）を順次取得して、当該中心座標の軌跡（サイン画像）を識別情報として取得する。
【０１８９】
認証部５１０３は、指紋認証を行なう場合、取得部５１０２が取得した指紋画像と、予め設定段階にて記憶部５２０が記憶している認証情報（指紋画像）１８０Ｂとに基づいて、両者が実質的に一致するか否かを判断する。認証部５１０３は、両者が実質的に一致する場合、ユーザ認証が成功したと判断し、両者が実質的に一致しない場合、ユーザ認証が失敗したと判断する。
【０１９０】
認証部５１０３は、サイン認証を行なう場合、取得部５１０２が取得したサイン画像と、予め設定段階にて記憶部５２０が記憶している認証情報（サイン画像）１８０Ｂとに基づいて、両者が実質的に一致するか否かを判断する。認証部５１０３は、両者が実質的に一致する場合、ユーザ認証が成功したと判断し、両者が実質的に一致しない場合、ユーザ認証が失敗したと判断する。
【０１９１】
登録部５１０４は、指紋認証を行なう場合、ユーザ登録を行なう際に、すなわち設定段階にて、取得部５１０２が取得した指紋画像を認証情報として記憶部５２０に記憶する。登録部５１０４は、サイン認証を行なう場合、ユーザ登録を行なう際に、すなわち設定段階にて、取得部５１０２が取得したサイン画像を認証情報として記憶部５２０に記憶する。
【０１９２】
（携帯電話５００の変形例）
ただし、携帯電話５００は、タッチパネル５３０の代わりにカードリーダなどを含んでもよい。この場合には、取得部５１０２は、当該カードリーダにユーザが所有している認証カードのＩＣチップや磁気テープなどを読取らせることによって、ユーザの識別情報を取得する。
【０１９３】
＜液晶テレビ６００の構成＞
次に、図２を参照して、情報通信システム１を構成する液晶テレビ６００の具体的構成の一態様について説明する。
【０１９４】
液晶テレビ６００は、ＣＰＵ６１０と、一時記憶部６２２と、記憶部６２０とを含む。
記憶部６２０は、データを不揮発的に記憶する機能を有する。記憶部６２０は、ＣＰＵ６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ｃ、後述する録画データ１８０Ｄ、後述する登録端末リスト１８０Ｅ、液晶テレビ６００を識別するための装置ＩＤ、その他の各種データ等が記憶されている。
【０１９５】
図１２を参照して、登録端末リスト１８０Ｅについて説明する。図１２は、記憶部６２０が記憶する登録端末リスト１８０Ｅのデータ構造を示すイメージ図である。
【０１９６】
登録端末リスト１８０Ｅは、液晶テレビ６００が登録した各携帯電話５００に関する情報を格納する。すなわち、登録端末リスト１８０Ｅには、過去に機器登録（ペアリング）が成功した携帯電話５００毎に、識別情報やその他の情報が格納される。本実施の形態に係る登録端末リスト１８０Ｅは、登録された携帯電話５００毎に、登録順を示す登録番号、携帯電話５００を識別するための端末ＩＤ、端末の名称、認証機能の有無、課金および決済機能の有無、情報読取機能の有無、現在の通信の可否を格納する。
【０１９７】
本実施の形態に係るＣＰＵ６１０は、所定のタイミング（商品が選択されたときなど）で、各携帯電話５００との通信が可能か否かを判断する。そして、ＣＰＵ６１０は、判断結果に基づいて、登録端末リストの通信の可否の欄を更新する。
【０１９８】
ＣＰＵ６１０は、記憶部６２０に記憶されたプログラム１８０Ｃに従って、液晶テレビ６００内の各部に対する各種処理や、演算処理等を行なう機能を有する。ＣＰＵ６１０は、前述のＣＰＵ５１０と同様なものであるので詳細な説明は繰り返さない。
【０１９９】
一時記憶部６２２は、ＣＰＵ６１０によってデータアクセスされ、一時的にデータを記憶するワークメモリとして使用される。一時記憶部６２２は、前述の一時記憶部５２２と同様なものであるので詳細な説明は繰り返さない。
【０２００】
液晶テレビ６００は、さらに、アンテナ６０２と、チューナ６０５と、データ処理部６０７とを含む。
【０２０１】
アンテナ６０２は、チューナ６０５と接続されている。チューナ６０５は、ＣＰＵ６１０により指示された周波数の放送信号を、アンテナ６０２を介して受信する。チューナ６０５は、ディジタル放送およびアナログ放送に基づく放送信号を受信する機能を有する。
【０２０２】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０２０３】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０２０４】
そして、データ処理部６０７は、ＣＰＵ６１０から、ディスプレイ６３０に画像を表示させるための表示指示を受信すると、画像データを、後述するＶＤＰ６３２へ送信する。ＶＤＰ６３２は、画像データを受信すると、ディスプレイ６３０に画像データに基づく画像（動画像または静止画像）を表示させる。
【０２０５】
また、データ処理部６０７は、ＣＰＵ６１０から、録画処理を行なうための録画指示を受信すると、画像データおよび音声データを圧縮して、録画データ１８０Ｄとして、記憶部６２０に記憶させる。録画データ１８０Ｄは、ＭＰＥＧ２形式で圧縮されたデータである。なお、録画データ１８０Ｄは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０２０６】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０２０７】
そして、データ処理部６０７は、ＣＰＵ６１０から、ディスプレイ６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、ディスプレイ６３０に画像データに基づく画像（動画像または静止画像）を表示させる。
【０２０８】
以下においては、チューナ６０５が受信した放送信号に基づく画像であって、かつ、ディスプレイ６３０に表示される画像を、ＴＶ画像ともいう。なお、液晶テレビ６００を操作するための後述するリモートコントローラ３００に設けられる、“１”〜“１２”の数字ボタンの押下操作で、直接、選局可能なＴＶ画像のチャンネルの種類の数は、最大で１２個であるとする。当然のことながら、リモートコントローラ３００に設けられる数字ボタンの数が多ければ多いほど、直接、選局可能なＴＶ画像のチャンネルの種類の数は多くなる。
【０２０９】
リモートコントローラ３００の“１”〜“１２”の数字ボタンには、それぞれ、“１”〜“１２”のリモートコントローラチャンネル番号が設定される。たとえば、“３”の数字ボタンには、リモートコントローラチャンネル番号“３”が設定される。また、１つのリモートコントローラチャンネル番号には、１つのＴＶ画像のチャンネルを登録可能である。たとえば、リモートコントローラチャンネル番号“１”に対し、ＴＶ画像のチャンネル番号“８”が登録されているとする。この場合、リモートコントローラ３００の“１”の数字ボタンが、ユーザにより押下処理されることにより、リモートコントローラ３００から、チャンネル番号“８”のＴＶ画像を選局するためのリモートコントローラ信号が、液晶テレビ６００へ送信される。
【０２１０】
なお、液晶テレビ６００は、複数種類のＴＶ画像を同時に、ディスプレイ６３０に表示する機能を有する。また、液晶テレビ６００は、ＴＶ画像と、他の種類の画像とを同時に、ディスプレイ６３０に表示する機能を有する。
【０２１１】
また、データ処理部６０７は、ＣＰＵ６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０２１２】
液晶テレビ６００は、さらに、ＶＤＰ６３２と、ＶＲＡＭ６３６とを含む。
ＶＲＡＭ６３６は、画像データを一時的に記憶する機能を有する。
【０２１３】
ＣＰＵ６１０は、記憶部６２０に記憶されたプログラム１８０Ｃに従って、ＶＤＰ６３２に対し、描画指示を出す。描画指示とは、画像を生成し、当該画像をディスプレイ６３０に表示させる指示である。
【０２１４】
ＶＤＰ６３２はディスプレイ６３０と接続されている。ＶＤＰ６３２は、ＣＰＵ６１０からの描画指示に応じて、記憶部６２０内の後述するプログラム１８０Ｃからフォントデータ、図形データ等を読出し、ＶＲＡＭ６３６を利用して画像を生成する。そして、ＶＤＰ６３２は、ＶＲＡＭ６３６に記憶された画像データを読出し、ディスプレイ６３０に、当該画像データに基づく画像を表示させる。
【０２１５】
液晶テレビ６００は、さらに、入力部６４０を含む。
入力部６４０は、図示されない複数のボタンを含む。複数のボタンは、液晶テレビ６００の外部に設けられている。複数のボタンのうち、いずれかのボタンがユーザにより押下操作されると、入力部６４０は、押下操作されたボタンに対応するボタン信号を、ＣＰＵ６１０へ送信する。ＣＰＵ６１０は、受信したボタン信号に基づいて、所定の処理を行なう。
【０２１６】
液晶テレビ６００は、さらに、通信部（通信インターフェイス）６６０と、通信部（通信インターフェイス）６６２とを含む。
【０２１７】
通信部６６０は、ＣＰＵ６１０とデータの送受信を行なう。また、通信部６６０は、携帯電話５００と有線または無線で、データの送受信を行なう機能を有する。なお、通信部６６０は、前述の通信部５６０と同様な構成および機能を有するので詳細な説明は繰り返さない。
【０２１８】
通信部６６２は、ＣＰＵ６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０２１９】
したがって、本実施の形態における液晶テレビ６００は、ネットワーク８０から、通信部５０および通信部６６２を介して、プログラムのダウンロード処理を行ない、記憶部６２０に格納することもできる。この場合、当該ダウンロードしたプログラムは、プログラム１８０Ｃである。
【０２２０】
ＣＰＵ６１０は、ネットワーク８０からダウンロードしたプログラム（プログラム１８０Ｃ）に従って、所定の処理を行なう。ダウンロードするためのプログラムは、予め、記憶部６２０に格納されている。ＣＰＵ６１０が、ダウンロードするためのプログラムに基づいて、新たなプログラムをダウンロードする。
【０２２１】
液晶テレビ６００は、さらに、リモートコントローラ信号受信部（リモコン信号受信部）６８０を含む。リモートコントローラ信号受信部６８０は、リモートコントローラ３００から出力される、液晶テレビ６００を操作するためのリモートコントローラ信号を受信する機能を有する。リモートコントローラ信号受信部６８０は、受信したリモートコントローラ信号をＣＰＵ６１０へ送信する。ＣＰＵ６１０は、受信したリモートコントローラ信号に応じて、対応する処理を行なう。なお、リモートコントローラ３００には、前述したように、ＴＶ画像を選局するための“１”〜“１２”の数字ボタンが設けられる。
【０２２２】
なお、前述した携帯電話５００が、上述したリモートコントローラ３００の機能を有してもよい。
【０２２３】
ＣＰＵ６１０は、音声出力部６７０とデータ通信する。ＣＰＵ６１０が、音声データを音声出力部６７０へ送信すると、音声出力部６７０は、ＣＰＵ６１０から受信した音声データに基づく音声をスピーカから出力する。
【０２２４】
（ＣＰＵ６１０の機能構成）
次に、液晶テレビ６００のＣＰＵ６１０が有する機能について説明する。本実施の形態に係るＣＰＵ６１０は、通信制御部６１０１と、探索部６１０２と、受付部６１０３と、登録部６１０４の機能を有する。具体的には、ＣＰＵ６１０は、プログラム１８０Ｃを実行することによって、上記の機能を実現する。
【０２２５】
受付部６１０３は、リモートコントローラ信号受信部６８０を介してリモートコントローラ３００から機器を登録する旨の命令（登録命令）を受け付ける。受付部６１０３は、リモートコントローラ信号受信部６８０を介してリモートコントローラ３００から商品を選択するための命令（第１の選択命令）を受け付ける。受付部６１０３は、リモートコントローラ信号受信部６８０を介してリモートコントローラ３００からユーザの識別情報を読み取るための携帯電話５００を選択するための命令（第２の選択命令）を受け付ける。
【０２２６】
通信制御部６１０１は、受付部６１０３が登録命令を受け付けた際に、通信部６６０を利用することによって、携帯電話５００とペアリングを行なう。ペアリングとは機器同士をお互いに登録し、登録された機器との接続を許可する処理のことである。ペアリングは、既に公知の技術であるため、ここでは詳細な説明は繰り返さない。通信制御部６１０１は、通信部６６０を利用することによって、携帯電話５００から、携帯電話５００を識別するための端末ＩＤ、端末の名称、認証機能の有無、課金および決済機能の有無、情報読取機能の有無、現在の通信の可否を受信する。
【０２２７】
通信制御部６１０１は、第２の選択命令を受け付けて、通信部６６０を利用することによって、選択された携帯電話５００に第１の情報と認証命令とを送信する。
【０２２８】
通信制御部６１０１は、携帯電話５００から課金処理が正常に終了した旨の通知を受信する。通信制御部６１０１は、通信部６６２を利用することによって、課金処理が正常に終了した旨と第１の情報とを対応付けてコンテンツサーバ８００に送信する。
【０２２９】
登録部６１０４は、携帯電話５００から受信した、携帯電話５００を識別するための端末ＩＤ、端末の名称、認証機能の有無、課金および決済機能の有無、情報読取機能の有無、現在の通信の可否を示す情報を、記憶部６２０の登録端末リスト１８０Ｅに格納する。
【０２３０】
探索部６１０２は、受付部６１０３が第１の選択命令を受け付けた際に、通信制御部６１０１と通信部６６０とを介して、自身と通信可能であって且つユーザの識別情報を取得可能である携帯電話５００を探索する。探索部６１０２は、探索結果に応じて記憶部６２０の登録端末リスト１８０Ｅを更新する。探索部６１０２は、最新の登録端末リスト１８０Ｅを参照して、通信可能な携帯電話５００であって、ユーザ認証が可能な携帯電話５００を認識する。これによって、受付部６１０３は、ユーザから第２の選択命令を受け付けることが可能になる。
【０２３１】
なお、携帯電話５００の探索のタイミングは、商品を選択するための命令（第１の選択命令）が行なわれた時に限らず、常にもしくは一定時間ごとにあらかじめ行なっていてもよい。この場合は、商品を選択するための命令のタイミングにおいては、最新の登録端末リスト１８０Ｅを参照するだけでよいことになる。
【０２３２】
＜通信部５０＞
図２を参照して、本実施の形態においては、液晶テレビ６００が配置される宅内に通信部５０が配置されている。通信部５０は、たとえば、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、近隣に配置される複数の機器と同時にデータ通信を行なう機能を有する。本実施の形態に係る通信部５０は、携帯電話５００、液晶テレビ６００およびネットワーク７０，８０の各々と、無線でデータ通信を行なうことが可能である。
【０２３３】
また、通信部５０は、さらに、イーサネット（登録商標）を利用した通信用インターフェイスを有し、映像表示システム内の装置がネットワーク７０，８０への接続要求を出した場合、機器が有するアドレスをネットワーク７０，８０におけるアドレスに変換するＮＡＴ（Network  Address  Translation）機能を含むルータ機能を持つ。したがって、通信部５０は、たとえば、ＬＡＮケーブルを介して、携帯電話５００、液晶テレビ６００およびネットワーク７０，８０の各々とデータ通信を行なうことができる。すなわち、通信部５０は、携帯電話５００、液晶テレビ６００およびネットワーク７０，８０の各々と、有線でデータ通信を行なうことが可能である。
【０２３４】
＜課金サーバ７００の構成＞
次に、図１３を参照して、情報通信システム１を構成する課金サーバ７００の具体的構成の一態様について説明する。図１３は、課金サーバ７００の構成を示すブロック図である。
【０２３５】
課金サーバ７００は、ディスプレイ７３０と、ＣＰＵ７１０と、一時記憶部７２２と、記憶部７２０とを含む。
【０２３６】
ディスプレイ７３０は、文字や画像等を表示する機能を有する。ディスプレイ７３０は、前述のディスプレイ６３０と同様なものであるので詳細な説明は繰り返さない。
【０２３７】
記憶部７２０は、データを不揮発的に記憶する機能を有する。記憶部７２０は、ＣＰＵ７１０によってデータアクセスされる。記憶部７２０は、大容量のデータを記憶可能なハードディスクである。なお、記憶部７２０は、ハードディスクに限定されることなく、電源を供給されなくてもデータを不揮発的に保持可能な媒体（たとえば、フラッシュメモリ）であればよい。記憶部７２０には、プログラム１８０Ｆ、課金データベース１８０Ｇなどが記憶されている。
【０２３８】
ＣＰＵ７１０は、記憶部７２０に記憶されたプログラム１８０Ｆに従って、課金サーバ７００内の各部に対する各種処理や、演算処理等を行なう機能を有する。ＣＰＵ７１０は、前述のＣＰＵ５１０と同様なものであるので詳細な説明は繰り返さない。
【０２３９】
一時記憶部７２２は、ＣＰＵ７１０によってデータアクセスされ、一時的にデータを記憶するワークメモリとして使用される。一時記憶部７２２は、前述の一時記憶部５２２と同様なものであるので詳細な説明は繰り返さない。
【０２４０】
課金サーバ７００は、さらに、ＶＤＰ７３２と、ＶＲＡＭ７３６とを含む。
ＶＲＡＭ７３６は、画像データを一時的に記憶する機能を有する。
【０２４１】
ＣＰＵ７１０は、記憶部７２０に記憶されたプログラム１８０Ｆに従って、ＶＤＰ７３２に対し、描画指示を出す。描画指示とは、画像を生成し、当該画像をディスプレイ７３０に表示させる指示である。
【０２４２】
ＶＤＰ７３２はディスプレイ７３０と接続されている。ＶＤＰ７３２は、ＣＰＵ７１０からの描画指示に応じて、記憶部７２０内の後述するプログラム１８０Ｆからフォントデータ、図形データ等を読出し、ＶＲＡＭ７３６を利用して画像を生成する。そして、ＶＤＰ７３２は、ＶＲＡＭ７３６に記憶された画像データを読出し、ディスプレイ７３０に、当該画像データに基づく画像を表示させる。
【０２４３】
課金サーバ７００は、さらに、入力部７４０を含む。
入力部７４０には、マウス７４２と、キーボード７４４とが接続されている。ユーザ（課金サービスの管理者等）は、マウス７４２またはキーボード７４４を利用して、課金サーバ７００に指示を与える。マウス７４２またはキーボード７４４からの入力指示は、入力部７４０を介してＣＰＵ７１０へ送信される。ＣＰＵ７１０は、入力部７４０からの入力指示に基づいて所定の処理を行なう。
【０２４４】
課金サーバ７００は、さらに、通信部（通信インターフェイス）７６０と、通信部（通信インターフェイス）７６２とを含む。
【０２４５】
通信部７６０は、ＣＰＵ７１０とデータの送受信を行なう。また、通信部７６０は、図示しない他の装置と有線または無線で、データの送受信を行なう機能を有する。なお、通信部７６０は、前述の通信部５６０と同様な構成および機能を有するので詳細な説明は繰り返さない。
【０２４６】
通信部７６２は、ＣＰＵ７１０と、データの送受信を行なう。通信部７６２は、無線により、ネットワーク７０とデータ通信を行なうことができる。すなわち、通信部７６２は、ネットワーク７０を介して携帯電話５００とデータ通信可能である。また、通信部７６２は、たとえば、ＬＡＮケーブルを介して、ネットワーク７０とデータ通信を行なうことができる。
【０２４７】
（ＣＰＵ７１０の機能構成）
次に、課金サーバ７００のＣＰＵ７１０が有する機能について説明する。本実施の形態に係るＣＰＵ７１０は、課金部７１０１の機能を有する。具体的には、ＣＰＵ７１０は、プログラム１８０Ｆを実行することによって、課金部７１０１の機能を実現する。
【０２４８】
課金部７１０１は、通信部７６２を利用することによって、携帯電話５００から認証結果や第１の情報を受信する。課金部７１０１は、認証結果と第１の情報とに基づいて、携帯電話５００のユーザに対する課金処理を行なう。たとえば、課金部７１０１は、課金データベース１８０Ｇに、ユーザ名と商品価格とを対応付けて記憶する。
【０２４９】
課金部７１０１は、課金データベース１８０Ｇを参照して、商品価格をユーザから徴収する。課金部７１０１は、ユーザに対する課金処理が正常に完了すると、通信部７６２を用いてネットワーク７０を介して携帯電話５００に課金処理が完了した旨を通知する。なお、課金部７１０１は、ユーザに対する課金処理が正常に完了すると、通信部７６２を用いてネットワーク８０を介してコンテンツサーバ８００に課金処理が完了した旨を通知してもよい。
【０２５０】
＜コンテンツサーバ８００の構成＞
次に、図１４を参照して、情報通信システム１を構成するコンテンツサーバ８００の具体的構成の一態様について説明する。図１４は、コンテンツサーバ８００の構成を示すブロック図である。
【０２５１】
以下では、コンテンツサーバ８００のブロックのうち、課金サーバ７００のブロックと同様の機能を有するブロックについては説明を繰り返さない。
【０２５２】
記憶部８２０は、データを不揮発的に記憶する機能を有する。記憶部８２０は、ＣＰＵ８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｈ、コンテンツデータ１８０Ｊ、ユーザ登録データベース１８０Ｋ等が記憶されている。
【０２５３】
図１５を参照して、ユーザ登録データベース１８０Ｋについて説明する。図１５は、記憶部８２０が記憶するユーザ登録データベース１８０Ｋのデータ構造を示すイメージ図である。
【０２５４】
ユーザ登録データベース１８０Ｋは、自身が提供するサービスに対する登録を希望するユーザ（携帯電話５００あるいは液晶テレビ６００）毎のユーザ登録情報を格納する。すなわち、記憶部８２０は、サービス毎にユーザ登録データベース１８０Ｋを記憶する。ユーザ登録データベース１８０Ｋには、ユーザ登録するユーザ毎に、識別情報やその他の情報が格納される。本実施の形態に係るユーザ登録データベース１８０Ｋは、登録されたユーザ毎に、登録順を示す登録番号、ユーザを識別するためのユーザ識別情報、パスワード、ユーザの携帯電話５００を識別するための端末ＩＤ、液晶テレビ６００を識別するためのテレビＩＤ、ユーザの氏名、ユーザの振り仮名、ユーザが有するメールアドレスあるいはユーザの携帯電話５００のメールアドレス、ユーザの住所などを格納する。
【０２５５】
ＣＰＵ８１０は、記憶部８２０に記憶されたプログラム１８０Ｈに従って、コンテンツサーバ８００内の各部に対する各種処理や、演算処理等を行なう機能を有する。ＣＰＵ８１０は、前述のＣＰＵ５１０と同様なものであるので詳細な説明は繰り返さない。
【０２５６】
通信部（通信インターフェイス）８６２は、ＣＰＵ８１０と、データの送受信を行なう。通信部８６２は、前述の通信部５６２と同様な構成および機能を有するので詳細な説明は繰り返さない。通信部８６２は、無線により、ネットワーク８０とデータ通信を行なうことができる。すなわち、通信部８６２は、ネットワーク８０を介して液晶テレビ６００とデータ通信可能である。また、通信部８６２は、たとえば、ＬＡＮケーブルを介して、ネットワーク８０とデータ通信を行なうことができる。
【０２５７】
（ＣＰＵ８１０の機能構成）
次に、コンテンツサーバ８００のＣＰＵ８１０が有する機能について説明する。本実施の形態に係るＣＰＵ８１０は、登録部８１０１の機能を有する。具体的には、ＣＰＵ８１０は、プログラム１８０Ｈを実行することによって、登録部８１０１の機能を実現する。
【０２５８】
登録部８１０１は、通信部８６２を利用することによって、液晶テレビ６００からネットワーク８０を介して、登録されたユーザ毎に、登録順を示す登録番号、ユーザを識別するためのユーザ識別情報、パスワード、ユーザの携帯電話５００を識別するための端末ＩＤ、液晶テレビ６００を識別するためのテレビＩＤ、ユーザの氏名、ユーザの振り仮名、ユーザが有するメールアドレスあるいはユーザの携帯電話５００のメールアドレス、ユーザの住所などを受け付ける。登録部８１０１は、登録されたユーザ毎に、登録順を示す登録番号、ユーザを識別するためのユーザ識別情報、パスワード、ユーザの携帯電話５００を識別するための端末ＩＤ、液晶テレビ６００を識別するためのテレビＩＤ、ユーザの氏名、ユーザの振り仮名、ユーザが有するメールアドレスあるいはユーザの携帯電話５００のメールアドレス、ユーザの住所を、記憶部８２０のユーザ登録データベース１８０Ｋに格納することによって、ユーザ登録を行なう。
【０２５９】
＜第１の認証情報登録＞
次に、図２および図１６を参照して、本実施の形態に係る携帯電話５００における第１の認証情報の登録、すなわち設定段階における携帯電話５００の処理について説明する。図１６は、ユーザが携帯電話５００に認証情報を入力する際の画面推移を示す第１のイメージ図である。
【０２６０】
図１６（Ａ）に示すように、登録部５１０４として機能する携帯電話５００のＣＰＵ５１０は、タッチパネル５３０（図１６における液晶パネル１４０）に、各種のアプリケーションを起動するためのボタンや、各種の設定情報を登録するための設定ボタンなどを表示させる。ユーザがタッチパネル５３０の設定ボタンにタッチすると、図１６（Ｂ）に示すように、ＣＰＵ５１０は、タッチパネル５３０に時刻の設定を行なうボタンや音量の設定を行なうためのボタンや認証情報を登録するためのボタンなどを表示させる。このとき、ＣＰＵ５１０は、タッチパネル５３０に指紋の認証情報を登録するためのボタンとサインの認証情報を登録するためのボタンとを表示させてもよい。
【０２６１】
ユーザがタッチパネル５３０の（指紋の）認証情報を登録するためのボタンにタッチすると、図１６（Ｃ）に示すように、ＣＰＵ５１０はタッチパネル５３０に指紋を入力するためのエリア１４０Ａを表示させる。図１６（Ｄ）に示すように、ユーザがタッチパネル５３０の指紋を入力するためのエリア１４０Ａに所定時間以上指９００をタッチさせると、ＣＰＵ５１０は光センサ回路１４４および画像処理エンジン１８０を介して指紋の画像を取得する。
【０２６２】
ＣＰＵ５１０は、指紋を示す画像を認証情報１８０Ｂとして記憶部５２０に格納する。なお、画像そのものではなく、画像から抽出した情報を記憶する方法でもよい。図１６（Ｅ）に示すように、ＣＰＵ５１０は、タッチパネル５３０に認証情報の登録が完了した旨を表示させる。
【０２６３】
＜第２の認証情報登録＞
次に、図２および図１７を参照して、本実施の形態に係る携帯電話５００における第２の認証情報の登録について説明する。図１７は、ユーザが携帯電話５００に認証情報を入力する際の画面推移を示す第２のイメージ図である。
【０２６４】
図１７（Ａ）に示すように、登録部５１０４として機能する携帯電話５００のＣＰＵ５１０は、タッチパネル５３０（液晶パネル１４０）に、各種のアプリケーションを起動するためのボタンや、各種の設定情報を登録するための設定ボタンなどを表示させる。ユーザがタッチパネル５３０の設定ボタンにタッチすると、図１７（Ｂ）に示すように、ＣＰＵ５１０はタッチパネル５３０に時刻の設定を行なうボタンや音量の設定を行なうためのボタンや認証情報を登録するためのボタンなどを表示させる。このとき、ＣＰＵ５１０は、タッチパネル５３０に指紋の認証情報を登録するためのボタンとサインの認証情報を登録するためのボタンとを表示させてもよい。
【０２６５】
ユーザがタッチパネル５３０の（サインの）認証情報を登録するためのボタンにタッチすると、図１７（Ｃ）に示すように、ＣＰＵ５１０はタッチパネル５３０にサインを入力するためのエリア１４０Ｂを表示させる。図１７（Ｄ）に示すように、ユーザがタッチパネル５３０のサインを入力するためのエリア１４０Ｂにサイン（接触領域の軌跡）を手書き入力すると、ＣＰＵ５１０は光センサ回路１４４および画像処理エンジン１８０を介してサインの画像を取得する。
【０２６６】
ＣＰＵ５１０は、サインを示す画像を認証情報１８０Ｂとして記憶部５２０に格納する。なお、画像そのものではなく、画像から抽出した情報を記憶する方法でもよい。図１７（Ｅ）に示すように、ＣＰＵ５１０は、タッチパネル５３０に認証情報の登録が完了した旨を表示させる。
【０２６７】
＜ユーザ登録処理＞
次に、図１〜図１５、図１８、図１９を参照して、情報通信システム１におけるユーザ登録処理の処理手順について説明する。図１８は、情報通信システム１におけるユーザ登録処理の処理手順を示すシーケンス図である。図１９は、ユーザ登録処理における液晶テレビ６００の画面推移を示すイメージ図である。
【０２６８】
液晶テレビ６００のＣＰＵ６１０は、登録部６１０４として、リモートコントローラ３００からのユーザ登録命令を受け付けて、ユーザ登録処理を開始する（ステップＳ１０２）。より詳細には、図１９（Ａ）を参照して、液晶テレビ６００のＣＰＵ６１０は、ディスプレイ６３０にインターネットサービスの各々を選択可能に表示させる。図１９（Ｂ）を参照して、ＣＰＵ６１０は、リモートコントローラ信号受信部６８０を介して、リモートコントローラ３００からユーザ登録処理を選択する旨の選択命令を受け付ける。
【０２６９】
ＣＰＵ６１０は、通信制御部６１０１として、通信部６６２を用いて、液晶テレビ６００に関する情報をコンテンツサーバ８００に送信する（ステップＳ１０４）。ＣＰＵ６１０は、探索部６１０２として、通信部６６０を用いて、現在液晶テレビ６００と通信可能な携帯電話５００を探索する（ステップＳ１０６）。ＣＰＵ６１０は、探索結果に基づいて、記憶部６２０の登録端末リスト１８０Ｅを更新する。ＣＰＵ６１０は、登録端末リスト１８０Ｅを参照して、通信部６６２を用いることによって、液晶テレビ６００と通信可能な携帯電話５００に関する情報をコンテンツサーバ８００に送信する。なお、登録端末リスト１８０Ｅは随時もしくは一定時間ごとに更新されており、この場合の探索では、登録端末リスト１８０Ｅの参照のみを行なうようにしてもよい。
【０２７０】
ＣＰＵ６１０は、通信部６６２を用いて、コンテンツサーバ８００からユーザ登録可能な携帯電話５００に関する情報を受信する（ステップＳ１０８）。ユーザ登録可能な携帯電話５００がない場合、ＣＰＵ６１０は、コンテンツサーバ８００から登録可能な端末がない旨のメッセージを受信する。ＣＰＵ６１０は、コンテンツサーバ８００からの情報に基づいて、ユーザ登録可能な端末が存在するか否かを判断する（ステップＳ１１０）。ＣＰＵ６１０は、ユーザ登録可能な端末がない場合（ステップＳ１１０にてＮＯである場合）、ステップＳ１１８からの処理を実行する。
【０２７１】
ＣＰＵ６１０は、ユーザ登録可能な端末が存在する場合（ステップＳ１１０にてＹＥＳである場合）、リモートコントローラ３００（ユーザ）からユーザ登録を希望する端末の選択命令を受け付ける（ステップＳ１１２）。より詳細には、図１９（Ｃ）を参照して、ＣＰＵ６１０は、ディスプレイ６３０に、液晶テレビ６００と通信可能な携帯電話５００をリスト表示させる。このとき、ＣＰＵ６１０は、ディスプレイ６３０に、コンテンツサーバ８００にユーザ登録されている携帯電話５００について、当該携帯電話５００がコンテンツサーバにおいて既にユーザ登録されている旨を表示させる。
【０２７２】
ＣＰＵ６１０は、通信部６６２を用いて、選択された携帯電話５００に関する情報を、コンテンツサーバ８００へ送信する。ＣＰＵ６１０は、選択された携帯電話５００がコンテンツサーバ８００にて既にユーザ登録されている端末であるか否かを判断する（ステップＳ１１６）。ＣＰＵ６１０は、選択された携帯電話５００がコンテンツサーバ８００にて既にユーザ登録されている携帯電話である場合、ステップＳ１２２からの処理を実行する。
【０２７３】
ＣＰＵ６１０は、選択された携帯電話５００がコンテンツサーバ８００にて未だユーザ登録されていない場合（ステップＳ１１６にてＮＯである場合）、リモートコントローラ３００を介して、ユーザ登録情報の入力を受け付ける（ステップＳ１１８）。より詳細には、図１９（Ｄ）を参照して、ＣＰＵ６１０は、ディスプレイ６３０にユーザ登録を受け付けるための画面を表示させる。
【０２７４】
ここでは、ＣＰＵ６１０は、ディスプレイ６３０に、ユーザＩＤを入力するためのエリアと、パスワードを入力するためのエリアと、ユーザの住所を入力するためのエリアと、ユーザのメールアドレスを入力するためのエリアとを表示させる。このとき、ＣＰＵ６１０は、ディスプレイ６３０に、入力したユーザ情報をコンテンツサーバに登録させるための登録ボタンをも表示させる。ユーザは、リモートコントローラ３００を利用して、上記の各エリアに、ユーザ情報を入力する。
【０２７５】
ＣＰＵ６１０は、通信部６６２を用いて、入力されたユーザ登録情報を、コンテンツサーバ８００に送信する（ステップＳ１２０）。ＣＰＵ６１０は、通信部６６２を用いて、コンテンツサーバ８００からユーザ登録情報を受信する（ステップＳ１２２）。より詳細には、図１９（Ｅ）を参照して、ＣＰＵ６１０は、通信部６６２を用いて、コンテンツサーバ８００からユーザ登録を完了した旨のメッセージを受け付けて、ディスプレイ６３０にユーザ登録が完了した旨のメッセージを表示させる。
【０２７６】
ＣＰＵ６１０は、ユーザ登録情報に対応する機器が端末（携帯電話５００）であるか否かを判断する（ステップＳ１２４）。ＣＰＵ６１０は、ユーザ登録情報に対応する機器が端末（携帯電話５００）である場合（ステップＳ１２４にてＹＥＳである場合）、通信部６６０を用いてユーザ登録情報を対象となる端末（携帯電話５００）に送信する（ステップＳ１２６）。ＣＰＵ６１０は、ユーザ登録処理を終了する（ステップＳ１２８）。ＣＰＵ６１０は、ユーザ登録情報に対応する機器が端末（携帯電話５００）でない場合（ステップＳ１２４にてＮＯである場合）、ユーザ登録処理を終了する（ステップＳ１２８）。
【０２７７】
一方、コンテンツサーバ８００のＣＰＵ８１０は、登録部８１０１として、通信部８６２を用いて、液晶テレビ６００から液晶テレビ６００に関する情報を受信する（ステップＳ１３２）。ＣＰＵ８１０は、通信部８６２を用いて、液晶テレビ６００から、液晶テレビ６００と通信可能な携帯電話５００に関する情報を受信する（ステップＳ１３４）。
【０２７８】
ＣＰＵ８１０は、液晶テレビ６００と通信可能な携帯電話５００が存在するか否かを判断する（ステップＳ１３６）。ＣＰＵ８１０は、液晶テレビ６００と通信可能な携帯電話５００が存在する場合（ステップＳ１３６にてＹＥＳである場合）、当該携帯電話５００のうち必要な機能を有している携帯電話５００を抽出する（ステップＳ１３８）。ＣＰＵ８１０は、ユーザ登録データベース１８０Ｋを参照して、抽出された携帯電話５００を検索する（ステップＳ１４０）。ＣＰＵ８１０は、通信部８６２を用いて、抽出された携帯電話５００を示す情報をユーザ登録済か否かを示す情報に対応付けて液晶テレビ６００に送信する（ステップＳ１４２）。
【０２７９】
ＣＰＵ８１０は、通信部８６２を用いて、選択された携帯電話５００に関する情報を受信する（ステップＳ１４４）。ＣＰＵ８１０は、記憶部８２０のユーザ登録データベース１８０Ｋを参照して、選択された携帯電話５００がユーザ登録済であるか否かを判断する（ステップＳ１４６）。ＣＰＵ８１０は、抽出された携帯電話５００が既にユーザ登録されている場合（ステップＳ１４６にてＹＥＳである場合）、液晶テレビに関する情報と抽出された携帯電話５００に関する情報とを互いに対応付けてユーザ登録データベース１８０Ｋに登録する（ステップＳ１４８）。ＣＰＵ８１０は、ステップＳ１５２からの処理を実行する。
【０２８０】
ＣＰＵ８１０は、抽出された携帯電話５００が未だユーザ登録されていない場合（ステップＳ１４６にてＮＯである場合）、通信部８６２を用いて、液晶テレビ６００からユーザ登録情報を受信する（ステップＳ１５０）。ＣＰＵ８１０は、ステップＳ１５２からの処理を実行する。
【０２８１】
ステップＳ１３６において、ＣＰＵ８１０は、液晶テレビ６００と通信可能な携帯電話５００が存在しない場合（ステップＳ１３６にてＮＯである場合）、登録可能な携帯電話がない旨のメッセージを通信部８６２を介して液晶テレビ６００に送信する（ステップＳ１５４）。ＣＰＵ８１０は、通信部８６２を用いて、液晶テレビ６００からユーザ登録情報を受信する（ステップＳ１５６）。ＣＰＵ８１０は、液晶テレビ６００からのユーザ登録情報に基づいて、記憶部８２０のユーザ登録データベース１８０Ｋを更新する（ステップＳ１５２）。
【０２８２】
ＣＰＵ８１０は、ユーザ登録データベース１８０Ｋを参照して、通信部８６２を用いて、抽出された携帯電話５００に対応するユーザ登録情報を液晶テレビ６００に送信する（ステップＳ１５８）。ＣＰＵ８１０は、ユーザ登録処理を終了する（ステップＳ１６０）。
【０２８３】
一方、携帯電話５００のＣＰＵ５１０は、登録部５１０４として、通信部５６０を用いて、液晶テレビ６００から携帯電話５００に対応するユーザ登録情報を受信する（ステップＳ１６２）。ＣＰＵ５１０は、ユーザ登録情報を、記憶部５２０に格納する（ステップＳ１６４）。
【０２８４】
＜端末選択処理＞
次に、図１〜図１５、図２０、図２１を参照して、情報通信システム１における端末選択処理の処理手順について説明する。図２０は、情報通信システム１における端末選択処理の処理手順を示すシーケンス図である。図２１は、端末選択処理における液晶テレビ６００および携帯電話５００の画面推移を示すイメージ図である。
【０２８５】
まず、図２１（Ａ）を参照して、液晶テレビ６００のＣＰＵ６１０は、コンテンツサーバ８００からの商品情報に基づいて、ディスプレイ６３０に１または複数の商品を選択可能に表示させる。このような状態において、液晶テレビ６００のＣＰＵ６１０は、受付部６１０３として、リモートコントローラ信号受信部６８０を介して、リモートコントローラ３００から、各種の操作命令を受け付ける（ステップＳ２０２）。
【０２８６】
たとえば、図２１（Ｂ）を参照して、ＣＰＵ６１０は、リモートコントローラ信号受信部６８０を介してリモートコントローラ３００から商品の選択命令を受け付けて、選択された商品の商品情報に基づいて、選択された商品の詳細な情報をディスプレイ６３０に表示させる。このとき、ＣＰＵ６１０は、ディスプレイ６３０に、商品の購入を決定するための購入ボタンを表示させる。
【０２８７】
ＣＰＵ６１０は、操作命令に基づいて、ユーザ認証が必要であるか否かを判断する（ステップＳ２０４）。ＣＰＵ６１０は、ユーザ認証が必要でない場合（ステップＳ２０４にてＮＯである場合）、たとえば図２１（Ａ）が示す状態で商品が選択された場合、ステップＳ２０２からの処理を繰り返す。
【０２８８】
ＣＰＵ６１０は、ユーザ認証が必要である場合（ステップＳ２０４にてＹＥＳである場合）、たとえば図２１（Ｂ）が示す状態で購入ボタンが押下された場合、最新の登録端末リスト１８０Ｅを参照して（登録端末リスト１８０Ｅを更新して）、液晶テレビ６００と通信可能な携帯電話５００に関する情報を通信部６６２を用いてコンテンツサーバ８００に送信する（ステップＳ２０６）。
【０２８９】
ＣＰＵ６１０は、通信部６６２を用いて、コンテンツサーバ８００からユーザ登録済の携帯電話５００に関する情報を受信する（ステップＳ２０８）。ＣＰＵ６１０は、ユーザ登録済の携帯電話５００が存在するか否かを判断する（ステップＳ２１０）。ＣＰＵ６１０は、ユーザ登録済の携帯電話５００がない場合（ステップＳ２１０にてＮＯである場合）、後述の図２２（Ｃ）に示すように、ディスプレイ６３０に次の処理画面を表示させて（ステップＳ２１２）、ステップＳ２０２からの処理を繰り返す。
【０２９０】
ここで、液晶テレビ６００と通信可能な携帯電話５００が存在しない場合の動作について説明する。図２２は、液晶テレビ６００と通信可能な携帯電話５００が存在しない場合の液晶テレビ６００の画面推移を示すイメージ図である。
【０２９１】
図２２（Ｃ）を参照して、ＣＰＵ６１０は、コンテンツサーバ８００から液晶テレビ６００と通信可能な携帯電話５００が存在しない旨のメッセージを受信して、ディスプレイ６３０にユーザＩＤを入力するためのエリアとパスワードを入力するためのエリアとカード情報を入力するためのエリアとを表示させる。このとき、ＣＰＵ６１０は、ディスプレイ６３０に、入力したユーザ情報をコンテンツサーバに送信するための送信ボタンをも表示させる。
【０２９２】
ＣＰＵ６１０が、通信部６６２を用いてユーザ情報をコンテンツサーバ８００に送信すると、コンテンツサーバ８００はユーザ認証を行なう。コンテンツサーバ８００によるユーザ認証が成功すると、図２２（Ｄ）に示すように、ＣＰＵ６１０はディスプレイ６３０に商品購入のための認証処理が完了した旨のメッセージを表示させる。
【０２９３】
図２０および図２１に戻って、ＣＰＵ６１０は、ユーザ登録済の携帯電話５００が存在する場合（ステップＳ２１０にてＹＥＳである場合）、リモートコントローラ信号受信部６８０を介して、リモートコントローラ３００から認証および購入操作をするための機器の選択命令を受け付ける（ステップＳ２１４）。より詳細には、図２１（Ｃ）を参照して、ＣＰＵ６１０は、ディスプレイ６３０に、通信中の端末を選択可能にリスト表示させる。
【０２９４】
ＣＰＵ６１０は、いずれかの携帯電話５００が選択されたか否か、すなわち端末の選択命令を受け付けたか否かを判断する（ステップＳ２１６）。ＣＰＵ６１０は、選択命令を受け付けない場合およびテレビで購入することを選択した場合（ステップＳ２１６にてＮＯである場合）、ディスプレイ６３０に次の処理画面を表示させて（ステップＳ２１２）、ステップＳ２０２からの処理を繰り返す。つまり、その後に、携帯電話５００を使わずに液晶テレビ５００のリモコン操作によって購入処理を続けることになる。
【０２９５】
ＣＰＵ６１０は、端末の選択命令を受け付けた場合（ステップＳ２１６にてＹＥＳである場合）、認証および購入用のアプリケーションの起動を要求する旨のメッセージおよび購入対象となる商品の情報とを、通信部６６０を用いて、携帯電話５００に送信する（ステップＳ２１８）。より詳細には、図２１（Ｄ）を参照して、ＣＰＵ６１０は、ディスプレイ６３０に携帯電話に商品に関する情報を送信した旨のメッセージを表示させる。ＣＰＵ６１０は、後述する認証・購入処理を実行する。
【０２９６】
ここで、液晶テレビ６００から携帯電話５００へと送信されるデータについて説明する。図２３は、端末選択処理における液晶テレビ６００から携帯電話５００に送信されるデータのデータ構造を示すイメージ図である。
【０２９７】
図２３を参照して、ステップＳ２１８において、ＣＰＵ６１０は、通信部６６０を用いて、携帯電話５００に、商品の選択番号と、携帯電話５００のユーザＩＤと、液晶テレビ６００のテレビＩＤと、認証・購入対象ＩＤと、データ形式と、対象機器と、認証対象画像と、認証対象価格と、サービス元と、課金決済サイトのＵＲＬとを示すメッセージを送信する。なお、当該メッセージは、液晶テレビ６００Ｄがコンテンツサーバ８００から受信したデータであってもよいし、当該データに基づいて液晶テレビ６００Ｄが生成したデータであってもよい。
【０２９８】
図２０および図２１に戻って、コンテンツサーバ８００のＣＰＵ８１０は、通信部８６２を用いて、液晶テレビ６００から、液晶テレビ６００と通信可能な携帯電話５００に関する情報を受信する（ステップＳ２２２）。ＣＰＵ８１０は、記憶部８２０のユーザ登録データベース１８０Ｋを参照して、当該携帯電話５００を検索する（ステップＳ２２４）。
【０２９９】
ＣＰＵ８１０は、現在実行中のサービスにユーザ登録されている携帯電話５００が存在するか否かを判断する（ステップＳ２２６）。ＣＰＵ８１０は、現在実行中のサービスへユーザ登録されている携帯電話５００が存在する場合（ステップＳ２２６にてＹＥＳである場合）、通信部８６２を用いて、ユーザ登録済の携帯電話５００に関する情報を液晶テレビ６００に送信する（ステップＳ２２８）。
【０３００】
ＣＰＵ８１０は、現在実行中のサービスにユーザ登録されている携帯電話５００が存在しない場合（ステップＳ２２６にてＮＯである場合）、通信部８６２を用いて、液晶テレビ６００に、ユーザ登録済の携帯電話５００に関する情報を送信する（ステップＳ２３０）。ＣＰＵ８１０は、後述する認証・購入処理を実行する。
【０３０１】
一方、携帯電話５００のＣＰＵ５１０は、認証部５１０３として、通信部５６０を用いて、液晶テレビ６００から、認証および購入用のアプリケーションの起動を要求するメッセージおよび購入対象に関する情報を受信する（ステップＳ２３２）。ＣＰＵ５１０は、上記メッセージに応じて、認証および購入用のアプリケーションを起動する（ステップＳ２３４）。
【０３０２】
ＣＰＵ５１０は、タッチパネル５３０に、購入対象に関する情報を表示させる（ステップＳ２３６）。より詳細には、図２１（Ｅ）を参照して、携帯電話５００のＣＰＵ５１は、タッチパネル５３０に選択された商品の詳細情報を表示させる。ＣＰＵ５１０は、後述する認証・購入処理を実行する。
【０３０３】
＜認証・購入処理＞
次に、図１〜図１５、図２４、図２５を参照して、情報通信システム１における認証・購入処理の処理手順について説明する。図２４は、情報通信システム１における認証・購入処理の処理手順を示すシーケンスである。図２５は、認証・購入処理における液晶テレビ６００および携帯電話５００の画面推移を示すイメージ図である。
【０３０４】
携帯電話５００のＣＰＵ５１０は、認証部５１０３として、タッチパネル５３０を用いて、ユーザからのタッチ操作を受け付ける（ステップＳ３０２）。すなわち、ＣＰＵ５１０は、タッチパネル５３０から、接触領域を示す画像データを受け付ける。
【０３０５】
ＣＰＵ５１０は、タッチパネル５３０からの接触領域（画像データ）に基づいて、認証機能の領域に接触領域が入っているか否かを判断する（ステップＳ３０４）。ＣＰＵ５１０は、認証機能領域に接触領域が入っていない場合（ステップＳ３０４にてＮＯである場合）、ステップＳ３０２からの処理を繰り返す。
【０３０６】
ＣＰＵ５１０は、認証機能の領域に接触領域が入っている場合（ステップＳ３０４にてＹＥＳである場合）、タッチパネル５３０からの画像データに基づいて、生体情報を取得する（ステップＳ３０６）。図２５（Ｆ）を参照して、携帯電話５００のＣＰＵ５１０は、タッチパネル５３０（液晶パネル１４０）に、タッチ操作が入力されたか否かを判断する。すなわち、ＣＰＵ５１０は、タッチパネル５３０を介して、指紋を示す画像データを取得する。
【０３０７】
ＣＰＵ５１０は、認証部５１０３として、記憶部５２０に予め格納されている認証情報１８０Ｂと、タッチパネル５３０からの画像データとに基づいて、ユーザ認証を行なう（ステップＳ３０８）。ＣＰＵ５１０は、ユーザ認証に成功したか否かを判断する（ステップＳ３１０）。ＣＰＵ５１０は、ユーザ認証に成功しない場合（ステップＳ３１０にてＮＯである場合）、ステップＳ３１６からの処理を実行する。
【０３０８】
ＣＰＵ５１０は、ユーザ認証に成功した場合（ステップＳ３１０にてＹＥＳである場合）、通信部５６２を用いて、課金サーバ７００に購入情報を送信する（ステップＳ３１２）。購入情報には、ユーザ認証に成功した旨のメッセージや選択された商品に関する情報（たとえば商品の価格など）を含む。より詳細には、ユーザ認証が成功した場合、図２５（Ｇ）を参照して、ＣＰＵ５１０は、タッチパネル５３０に認証処理が正常に完了した旨のメッセージを表示させる。
【０３０９】
ＣＰＵ５１０は、通信部５６２を用いて、課金サーバ７００から購入処理（課金処理）が正常に完了した旨のメッセージを受信する（ステップＳ３１４）。より詳細には、図２５（Ｈ）を参照して、ＣＰＵ５１０は、タッチパネル５３０に課金サーバ７００との購入処理（課金処理）が正常に完了した旨のメッセージを表示させる。
【０３１０】
ＣＰＵ５１０は、通信部５６０を用いて、液晶テレビ６００に、認証結果を送信する（ステップＳ３１６）。ＣＰＵ５１０は、認証・購入アプリケーションを終了する（ステップＳ３１８）。ＣＰＵ５１０は、通信部５６０を用いて、液晶テレビ６００から、コンテンツデータを受信する（ステップＳ３２０）。より詳細には、図２５（Ｋ）を参照して、携帯電話５００のＣＰＵ５１０は、コンテンツデータの取得が完了した際に、タッチパネル５３０に購入済のコンテンツを示す画像を表示させる。ＣＰＵ５１０は、待ち状態へ移行する。
【０３１１】
一方、課金サーバ７００のＣＰＵ７１０は、通信部７６２を用いて、携帯電話５００から、購入情報を受信する（ステップＳ３３２）。ＣＰＵ７１０は、受信した購入情報に基づいて、購入処理を行なう（ステップＳ３３４）。ＣＰＵ７１０は、通信部７６２を用いて、購入処理の結果を示す情報を携帯電話５００に送信する（ステップＳ３３６）。ＣＰＵ７１０は、通信部７６２を用いて、コンテンツサーバ８００から確認メッセージを受信して（ステップＳ３７４に対応する。）、通信部７６２を用いて、購入処理を正常に確認した旨をコンテンツサーバ８００に送信する（ステップＳ３３８）。ＣＰＵ７１０は、待ち状態へと移行する（ステップＳ３４０）。
【０３１２】
なお、本実施の形態においては、商品を購入する際のユーザ認証を行なうものであるが、各種のサービスへログインするため、会員限定のコンテンツ（無料）を視聴するため、既に購入済みのコンテンツを視聴（ダウンロード）するために、ユーザ認証を行うものであってもよい。この場合、コンテンツサーバ８００は、本実施の形態における課金サーバ７００にあたる処理も行ない、購入情報ではなく、ログインなどのための対象情報をやり取りすることとなる。
【０３１３】
また、ユーザによる商品の購入処理においては、ステップＳ３３４においてまず課金のみがされるのか、ステップＳ３３４において決済までされるのかは、サービス毎に異なる。たとえば、プリペイド式の電子マネーを用いて商品を購入する場合には、ユーザから見ると、課金と決済とが同時に行なわれていることになる。
【０３１４】
一方、液晶テレビ６００のＣＰＵ６１０は、通信制御部６１０１として、携帯電話５００から、認証結果を受信する（ステップＳ３４２）。より詳細には、図２５（Ｉ）を参照して、液晶テレビ６００のＣＰＵ６１０は、携帯電話５００から認証処理が正常に完了した旨のメッセージを受け付けて、ディスプレイ６３０に商品の購入処理が正常に完了した旨のメッセージを表示させる。
【０３１５】
ＣＰＵ６１０は、通信部６６２を用いて、認証結果と液晶テレビ６００を識別するためのテレビＩＤとをコンテンツサーバ８００に送信する（ステップＳ３４４）。ＣＰＵ６１０は、通信部６６２を用いて、コンテンツサーバ８００から、処理結果を受信する（ステップＳ３４６）。ＣＰＵ６１０は、コンテンツを正常に受信したか否かを判断する（ステップＳ３４８）。すなわちＣＰＵ６１０は、コンテンツサーバ８００からエラーメッセージを受信したか否かを判断する。
【０３１６】
ＣＰＵ６１０は、コンテンツサーバ８００からコンテンツデータを正常に受信しない場合（ステップＳ３４８にてＮＯである場合）、コンテンツデータの取得に失敗した旨のメッセージをディスプレイ６３０に表示させる（ステップＳ３５０）。ＣＰＵ６１０は、通常の操作状態へ移行する（ステップＳ３５２）。
【０３１７】
ＣＰＵ６１０は、コンテンツデータを正常に受信した場合（ステップＳ３４８にてＹＥＳである場合）、受信したコンテンツデータが携帯電話５００にて利用可能なものであるか否かを判断する（ステップＳ３５４）。ＣＰＵ６１０は、受信したコンテンツデータが携帯電話５００にて利用可能である場合（ステップＳ３５４にてＹＥＳである場合）、当該コンテンツデータを通信部６６０を用いることによって携帯電話５００に送信する（ステップＳ３５６）。より詳細には、図２５（Ｊ）を参照して、ＣＰＵ６１０は、ディスプレイ６３０に携帯電話にコンテンツデータを送信中であることを示すメッセージを表示させる。ＣＰＵ６１０は、通常の操作状態へ移行する（ステップＳ３５８）。
【０３１８】
ＣＰＵ６１０は、受信したコンテンツデータが携帯電話５００にて利用可能でない場合（ステップＳ３５４にてＮＯである場合）、受信したコンテンツデータに基づいてディスプレイ６３０にコンテンツを表示させる（ステップＳ３６０）。ＣＰＵ６１０は、通常の操作状態へ移行する（ステップＳ３６２）。
【０３１９】
一方、コンテンツサーバ８００のＣＰＵ８１０は、通信部８６２を用いて、液晶テレビ６００から、認証結果とテレビＩＤとを受信する（ステップＳ３７２）。ＣＰＵ８１０は、通信部８６２を用いて、課金サーバ７００に対して購入処理が正常に完了しているか否かを確認する（ステップＳ３７４）。ＣＰＵ８１０は、認証処理および購入処理のいずれもが正常に完了しているか否かを判断する（ステップＳ３７６）。
【０３２０】
ＣＰＵ８１０は、認証処理および購入処理のいずれかが正常に完了していない場合（ステップＳ３７６にてＮＯである場合）、通信部８６２を用いて、液晶テレビ６００にエラーメッセージを送信する（ステップＳ３７８）。ＣＰＵ８１０は、通常の操作状態へ移行する（ステップＳ３８０）。
【０３２１】
ＣＰＵ８１０は、認証処理および購入処理のいずれもが正常に完了している場合（ステップＳ３７６にてＹＥＳである場合）、通信部８６２を用いて、対応するコンテンツデータを、液晶テレビ６００に送信する（ステップＳ３８２）。ＣＰＵ８１０は、記憶部８２０に更新履歴を格納する（ステップＳ３８４）。ＣＰＵ８１０は、記憶部８２０に予め格納されている購入履歴を更新してもよい。ＣＰＵ８１０は、通常の操作状態へと移行する（ステップＳ３８６）。
【０３２２】
＜端末選択処理の変形例＞
次に、図１〜図１５、図２６〜図３０を参照して、本実施の形態に係る情報通信システム１における端末選択処理の処理手順の変形例について説明する。ここでは、ユーザが液晶テレビ６００を用いて複数の商品を選択することによって当該複数の商品を一時的に買い物かごに入れておき、その後買い物かごの商品をまとめてあるいは選択して購入する場合について説明する。
【０３２３】
図２６は、情報通信システム１における端末選択処理の処理手順の変形例を示すシーケンスである。図２７は、端末選択処理の変形例における液晶テレビ６００および携帯電話５００の画面推移を示す第１のイメージ図である。図２８は、端末選択処理の変形例における液晶テレビ６００および携帯電話５００の画面推移を示す第２のイメージ図である。図２９は、端末選択処理における携帯電話５００の表示制御データのデータ構造を示すイメージ図である。図３０は、端末選択処理におけるタッチパネル５３０と各ボタンの表示エリアとの関係を示すイメージ図である。
【０３２４】
まず、図２７（Ａ）および図２８（Ａ）を参照して、液晶テレビ６００のＣＰＵ６１０は、コンテンツサーバ８００からの商品情報に基づいて、ディスプレイ６３０に１または複数の商品を選択可能に表示させる。このような状態において、液晶テレビ６００のＣＰＵ６１０は、受付部６１０３として、リモートコントローラ信号受信部６８０を介して、リモートコントローラ３００から、各種の操作命令を受け付ける（ステップＳ４０２）。
【０３２５】
たとえば、図２７（Ｂ）および図２８（Ｂ）を参照して、ＣＰＵ６１０は、リモートコントローラ信号受信部６８０を介してリモートコントローラ３００から商品の選択命令を受け付けて、選択された商品の商品情報に基づいて、選択された商品の詳細な情報をディスプレイ６３０に表示させる。このとき、ＣＰＵ６１０は、ディスプレイ６３０に、商品を買い物かごへ入れるためのボタンを表示させる。
【０３２６】
ＣＰＵ６１０は、操作命令に基づいて、ユーザ認証が必要であるか否かを判断する（ステップＳ４０４）。ＣＰＵ６１０は、ユーザ認証が必要でない場合（ステップＳ４０４にてＮＯである場合）、たとえば図２７（Ａ）および図２８（Ａ）が示す状態で商品が選択された場合、ステップＳ４０２からの処理を繰り返す。
【０３２７】
ＣＰＵ６１０は、ユーザ認証が必要である場合（ステップＳ４０４にてＹＥＳである場合）、たとえば図２７（Ｂ）および図２８（Ｂ）が示す状態でボタンが押下された場合、既にコンテンツサーバ８００からユーザ登録済みの端末に関する情報を受信しているか否かを判断する（ステップＳ４０６）。
【０３２８】
ＣＰＵ６１０は、既にコンテンツサーバ８００からユーザ登録済みの端末に関する情報を受信している場合（ステップＳ４０６においてＹＥＳである場合）、ステップＳ４１２からの処理を実行する。ＣＰＵ６１０は、未だコンテンツサーバ８００からユーザ登録済みの端末に関する情報を受信していない場合（ステップＳ４０６においてＮＯである場合）、液晶テレビ６００と通信可能な携帯電話５００に関する情報を、通信部６６２を用いてコンテンツサーバ８００に送信する（ステップＳ４０８）。
【０３２９】
ＣＰＵ６１０は、通信部６６２を用いて、コンテンツサーバ８００からユーザ登録済の携帯電話５００に関する情報を受信する（ステップＳ４１０）。ＣＰＵ６１０は、ユーザ登録済の携帯電話５００が存在するか否かを判断する（ステップＳ４１２）。ＣＰＵ６１０は、ユーザ登録済の携帯電話５００がない場合（ステップＳ４１２にてＮＯである場合）、図２２（Ｃ）に示すように、ディスプレイ６３０に次の処理画面を表示させて（ステップＳ４１４）、ステップＳ４０２からの処理を繰り返す。
【０３３０】
ＣＰＵ６１０は、ユーザ登録済の携帯電話５００が存在する場合（ステップＳ４１２にてＹＥＳである場合）、リモートコントローラ信号受信部６８０を介して、リモートコントローラ３００からユーザ認証および購入操作をするための機器の選択命令を受け付ける（ステップＳ４１６）。たとえば、ＣＰＵ６１０は、図２７（Ｃ）および図２８（Ｃ）に示すように、ディスプレイ６３０を介して、携帯電話５００を利用して認証・購入を行なうか否かの選択命令を受け付けてもよい。
【０３３１】
ＣＰＵ６１０は、いずれかの携帯電話５００が選択されたか否か、すなわち端末の選択命令を受け付けたか否かを判断する（ステップＳ４１８）。ＣＰＵ６１０は、選択命令を受け付けない場合およびテレビで購入することを選択した場合（ステップＳ４１８にてＮＯである場合）、ディスプレイ６３０に次の処理画面を表示させて（ステップＳ４１４）、ステップＳ４０２からの処理を繰り返す。
【０３３２】
ＣＰＵ６１０は、端末の選択命令を受け付けた場合（ステップＳ４１８にてＹＥＳである場合）、認証および購入用のアプリケーションの起動を要求する旨のメッセージおよび購入対象となる商品の情報とを、通信部６６０を用いて、携帯電話５００に送信する（ステップＳ４２０）。たとえば、図２７（Ｄ）および図２８（Ｄ）に示すように、ＣＰＵ６１０は、ディスプレイ６３０に携帯電話に商品に関する情報を送信した旨のメッセージを表示させる。ＣＰＵ６１０は、後述する認証・購入処理を実行する。
【０３３３】
一方、コンテンツサーバ８００のＣＰＵ８１０は、通信部８６２を用いて、液晶テレビ６００から、液晶テレビ６００と通信可能な携帯電話５００に関する情報を受信する（ステップＳ４２２）。ＣＰＵ８１０は、記憶部８２０のユーザ登録データベース１８０Ｋを参照して、当該携帯電話５００を検索する（ステップＳ４２４）。
【０３３４】
ＣＰＵ８１０は、現在実行中のサービスにユーザ登録されている携帯電話５００が存在するか否かを判断する（ステップＳ４２６）。ＣＰＵ８１０は、現在実行中のサービスへユーザ登録されている携帯電話５００が存在する場合（ステップＳ４２６にてＹＥＳである場合）、通信部８６２を用いて、ユーザ登録済の携帯電話５００に関する情報を液晶テレビ６００に送信する（ステップＳ４２８）。
【０３３５】
ＣＰＵ８１０は、現在実行中のサービスにユーザ登録されている携帯電話５００が存在しない場合（ステップＳ４２６にてＮＯである場合）、通信部８６２を用いて、液晶テレビ６００に、ユーザ登録済の携帯電話５００に関する情報を送信する（ステップＳ４３０）。ＣＰＵ８１０は、後述する認証・購入処理を実行する。
【０３３６】
本実施の形態においては、液晶テレビ６００が携帯電話５００へと商品に関する情報を送信する処理と、携帯電話５００が画面を介して認証・購入処理する処理とは独立して動作する。ＣＰＵ５１０は、通信部５６２を用いて、認証・購入用のアプリケーションの起動を要求するメッセージと商品情報とを受信する（ステップＳ４３４）。ＣＰＵ５１０は、既に認証・購入アプリケーションを起動中であるか否かを判断する（ステップＳ４３６）。
【０３３７】
ＣＰＵ５１０は、未だ認証・購入アプリケーションを起動していない場合（ステップＳ４３６においてＮＯである場合）、認証・購入アプリケーションを起動する（ステップＳ４３８）。ＣＰＵ５１０は、図２７の（Ｅ）に示すように、タッチパネル５３０に認証・購入対象の商品の情報を表示する（ステップＳ４４０）。
【０３３８】
ＣＰＵ５１０は、既に認証・購入アプリケーションを起動している場合（ステップＳ４３６においてＹＥＳである場合）、図２８（Ｅ）に示すように、タッチパネル５３０に認証・購入対象の商品の情報を表示する（ステップＳ４４２）。ＣＰＵ５１０は、認証機能の割り当てエリアを変更する（ステップＳ４４４）。
【０３３９】
より詳細には、図２９を参照して、携帯電話５００の記憶部５２０は、商品テーブル１８０Ｌを記憶する。商品テーブル１８０Ｌは、液晶テレビ６００にて選択された商品毎に、選択番号と、液晶テレビ６００を識別するためのテレビＩＤと、認証対象商品ＩＤと、認証対象商品の画像と、認証対象商品の価格と、サービス提供元と、課金・決済サイトのＵＲＬと、接触領域とを対応付けて格納する。図２９の一番下のＮｏ．９９９９は、それより前の行のすべての商品を意味する。つまり、Ｎｏ．９９９９を選択・購入すると本Ａと本Ｂの両方を購入することになる。
【０３４０】
ＣＰＵ５１０は、商品テーブル１８０Ｌを参照して、図３０に示すように、タッチパネル５３０の接触領域に認証対象商品ＩＤと認証対象画像とを表示させる。認証部５１０３として機能するＣＰＵ５１０は、タッチ操作の位置と接触領域とに基づいて、ユーザがどの商品を選択したかを認識することができる。例えば、タッチ操作の位置が座標（Ｘ１１，Ｙ１１）−（Ｘ１２，Ｙ１２）の範囲内であれば、本Ａを選択したことになる。
【０３４１】
本実施の形態においては、認証部５１０３は、商品が選択されると同時に、タッチ操作に対応する画像データ（指紋画像）と記憶部５２０の認証情報１８０Ｂとに基づいて、ユーザ認証を行なうことができる。すなわち、本実施の形態に係る携帯電話５００は、ユーザが携帯電話５００に商品の選択命令を入力した場合に、同時にユーザ認証を行なうことができる。換言すれば、ユーザは１つのタッチ操作で、商品の選択とユーザ認証とを済ませることができる。
【０３４２】
ただし、認証部５１０３は、タッチ操作に基づいて商品の選択命令のみを受け付けて、サイン画像に基づいてユーザ認証を行なってもよい。
【０３４３】
＜認証・購入処理の変形例＞
次に、図１〜図１５、図２４、図３１を参照して、本実施の形態に係る情報通信システム１における認証・購入処理の処理手順の変形例（第１の変形例）について説明する。図３１は、情報通信システム１における認証・購入処理の第１の変形例における液晶テレビ６００および携帯電話５００の画面推移を示すイメージ図である。ここでは、ユーザは、携帯電話５００を用いて、買い物かごの中の商品から商品を選択してから当該商品を購入したり、買い物かごの中の商品を一括で購入したりする場合について説明する。
【０３４４】
なお、情報通信システム１における認証・購入処理の第１の変形例の一部の処理手順は、図２４に示したそれと同様であるため、ここでは詳細な説明を繰り返さない。以下では、図２４および図３１を参照して、両者の異なるステップについてのみ説明する。
【０３４５】
図２４に示されるステップＳ３０４での認証機能の領域の個数は１つであったが、本変形例に係るステップＳ３０４（複数の商品が「買い物かご」に入っている状態）においては、認証機能の領域の個数が複数となる。そして、ステップＳ３１２およびステップＳ３３２における購入情報には、携帯電話５００にて選択された少なくとも１つの商品に対応する情報が含まれる。
【０３４６】
＜認証・購入処理の第２の変形例＞
図３２を参照して、認証・購入処理の第２の変形例について説明する。図３２は、情報通信システム１における認証・購入処理の第２の変形例における携帯電話５００の画面推移を示すイメージ図である。
【０３４７】
図３２（Ａ）を参照して、携帯電話５００のＣＰＵ５１０は、タッチパネル５３０に、液晶テレビ６００で最初に選択された商品を表示させる。図３２（Ａ）に示す状態において、ＣＰＵ５１０は、タッチパネル５３０の指紋入力エリア１４０Ａを介して指紋画像を受け付けると、当該指紋画像に基づいてユーザ認証を行なうとともに、本Ａの購入命令（選択命令）を受け付ける。ＣＰＵ５１０は、さらに、タッチパネル５３０に、商品を切り換えるためのボタン（図３２（Ａ）においては三角形の右方向を示す画像１４０Ｒ）を表示する。ＣＰＵ５１０は、タッチパネル５３０を介してユーザから商品切換命令（右方向を示す画像１４０Ｒの押下）を受け付けて、図３２（Ｂ）に示すように、タッチパネル５３０に次の商品を表示させる。
【０３４８】
図３２（Ｂ）に示す状態において、ＣＰＵ５１０は、タッチパネル５３０の指紋入力エリア１４０Ａを介して指紋画像を受け付けると、当該指紋画像に基づいてユーザ認証を行なうとともに、本Ｂの購入命令（選択命令）を受け付ける。ＣＰＵ５１０は、さらに、タッチパネル５３０に、商品を切り換えるためのボタン（図３２（Ｂ）においては三角形の右方向を示す画像１４０Ｒおよび左方向を示す画像１４０Ｌ）を表示する。ＣＰＵ５１０は、タッチパネル５３０を介してユーザから商品切換命令（左方向を示す画像１４０Ｌの押下）を受け付けて、図３２（Ａ）に示すように、タッチパネル５３０に前の商品を表示させる。ＣＰＵ５１０は、タッチパネル５３０を介してユーザから商品切換命令（右方向を示す画像１４０Ｒの押下）を受け付けて、図３２（Ｃ）に示すように、タッチパネル５３０に次の商品を表示させる。
【０３４９】
図３２（Ｃ）に示す状態において、ＣＰＵ５１０は、タッチパネル５３０の指紋入力エリア１４０Ａを介して指紋画像を受け付けると、当該指紋画像に基づいてユーザ認証を行なうとともに、本Ｃの購入命令（選択命令）を受け付ける。ＣＰＵ５１０は、さらに、タッチパネル５３０に、商品を切り換えるためのボタン（図３２（Ｃ）においては三角形の右方向を示す画像１４０Ｒおよび左方向を示す画像１４０Ｌ）を表示する。ＣＰＵ５１０は、タッチパネル５３０を介してユーザから商品切換命令（左方向を示す画像１４０Ｌの押下）を受け付けて、図３２（Ｂ）に示すように、タッチパネル５３０に前の商品を表示させる。ＣＰＵ５１０は、タッチパネル５３０を介してユーザから商品切換命令（右方向を示す画像１４０Ｒの押下）を受け付けて、図３２（Ｄ）に示すように、タッチパネル５３０に商品を一括で購入するための画面（ボタン）を表示させる。
【０３５０】
図３２（Ｄ）に示す状態において、ＣＰＵ５１０は、タッチパネル５３０の指紋入力エリア１４０Ａを介して指紋画像を受け付けると、当該指紋画像に基づいてユーザ認証を行なうとともに、本Ａ〜Ｃを一括で購入するための命令を受け付ける。ＣＰＵ５１０は、さらに、タッチパネル５３０に、商品を切り換えるためのボタン（図３２（Ｄ）においては三角形の左方向を示す画像１４０Ｌ）を表示する。ＣＰＵ５１０は、タッチパネル５３０を介してユーザから商品切換命令（左方向を示す画像１４０Ｌの押下）を受け付けて、図３２（Ｃ）に示すように、タッチパネル５３０に前の商品を表示させる。
【０３５１】
［実施の形態２］
次に、本発明の実施の形態２について説明する。上述の実施の形態１に係る情報通信システム１は、携帯電話５００と課金サーバ７００との間で商品の課金処理が行なわれるものであった。一方、本実施の形態に係る情報通信システム１Ｂは、液晶テレビ６００Ｂと課金サーバ７００Ｂとの間で商品の課金処理が行なわれるものである。
【０３５２】
まず、図３３を参照して、本実施の形態に係る情報通信システム１Ｂの全体構成について説明する。図３３は、本実施の形態に係る情報通信システム１Ｂの全体構成を示すイメージ図である。
【０３５３】
本実施の形態に係る情報通信システム１Ｂは、液晶テレビ（第１の通信装置）６００Ｂと、リモートコントローラ３００と、携帯電話５００Ｂ（第２の通信装置）と、課金サーバ７００Ｂ（第１のサーバ）と、コンテンツサーバ８００（第２のサーバ）とを含む。
【０３５４】
液晶テレビ６００Ｂは、Ｗｅｂページなどの画像を表示する。液晶テレビ６００Ｂは、たとえば、プラズマテレビなどディスプレイを保有する他の装置であってもよい。また、液晶テレビ６００Ｂは、画像を表示するための表示装置と、当該表示装置に表示させるための画像データを送信する画像データ送信装置とから構成される装置であってもよい。画像データ送信装置としては、たとえば、ＳＴＢ（Set  Top  Box）、ＨＤＤレコーダ、ＤＶＤ（Digital  Versatile  Disc）レコーダ、ＢＤ(Blu-ray  Disc)レコーダ等が挙げられる。
【０３５５】
液晶テレビ６００Ｂは、ネットワーク７０を介して課金サーバ７００Ｂに接続可能である。液晶テレビ６００Ｂは、携帯電話５００Ｂから認証結果を受け付けて、当該認証結果を課金サーバ７００Ｂに送信する。液晶テレビ６００Ｂは、ネットワーク８０を介してコンテンツサーバ８００に接続可能である。液晶テレビ６００Ｂは、コンテンツサーバ８００からＷｅｂページのデータをダウンロードしたり、商品としてのデジタルデータをダウンロードしたりする。
【０３５６】
携帯電話５００Ｂは、電話網と、無線によりデータ通信可能である。電話網は、たとえば、携帯電話のための電話網である。携帯電話５００Ｂは、ＰＤＡ（Personal  Digital  Assistance）やノート型パーソナルコンピュータなどのような、ユーザが持ち運ぶことができる情報通信端末であってもよい。携帯電話５００Ｂは、ユーザ認証を行ない、認証結果を液晶テレビ６００Ｂに送信する。
【０３５７】
携帯電話５００Ｂと、液晶テレビ６００Ｂとは、無線または有線でデータ通信を行なう。すなわち、携帯電話５００Ｂと、液晶テレビ６００Ｂと、リモートコントローラ３００とから映像表示システムが構成される。
【０３５８】
課金サーバ７００Ｂは、ネットワーク７０を介して、液晶テレビ６００Ｂとの間で課金処理を行なう。たとえば、課金サーバ７００Ｂは、液晶テレビ６００Ｂからユーザの認証結果と商品の価格とを受信して、携帯電話５００Ｂのユーザのクレジットカード番号を使って商品の価格を引き落としたりする。
【０３５９】
＜情報通信システム１Ｂの動作概要＞
次に、図３３を参照して、本実施の形態に係る情報通信システム１Ｂの動作概要について説明する。ここでも、ユーザが、液晶テレビ６００Ｂを利用して商品を閲覧し、携帯電話５００Ｂを利用してユーザ認証を行なうことによって、当該商品（デジタルデータ）を購入する場合について説明する。
【０３６０】
なお、設定段階および端末選択段階の動作概要については、実施の形態１のそれらと同様であるため、ここでは説明を繰り返さない。以下では、認証・購入段階の動作概要について説明する。
【０３６１】
ステップ（７）として、携帯電話５００はユーザ認証を行なう。より詳細には、たとえば、携帯電話５００は、第１の情報を受け付けて、ユーザの指によるタッチ操作を受け付ける。携帯電話５００は、指紋画像を識別情報として取得する。この場合、携帯電話５００は、指紋認証を行なう。あるいは、携帯電話５００は、第１の情報を受け付けて、スタイラスペンによるタッチ操作を受け付ける。携帯電話５００は、サイン画像を識別情報として取得する。この場合、携帯電話５００は、サイン認証を行なう。
【０３６２】
あるいは、携帯電話５００は、カードのＩＣチップや磁気テープを読み取って識別情報を取得する。この場合は、ＩＣチップや磁気テープに格納されているデータに基づいてユーザ認証を行なう。
【０３６３】
ステップ（８）として、携帯電話５００Ｂは、ネットワーク７０を介して認証結果を液晶テレビ６００Ｂに送信する。
【０３６４】
ステップ（９）として、液晶テレビ６００Ｂは、携帯電話５００Ｂにおける認証結果と第１の情報とを課金サーバ７００Ｂに送信する。課金サーバ７００Ｂは、認証結果と第１の情報とに基づいて、ユーザから料金を徴収する。すなわち、課金サーバ７００Ｂは、選択された商品に対応する課金処理を行なう。
【０３６５】
ステップ（１０）として、課金サーバ７００Ｂは、課金処理が正常に完了すると、課金処理が完了した旨のメッセージをネットワーク７０を介して液晶テレビ６００Ｂに送信する。
【０３６６】
ステップ（１１）として、液晶テレビ６００Ｂは、課金処理が完了した旨のメッセージをコンテンツサーバ８００に送信する。
【０３６７】
ステップ（１２）として、コンテンツサーバ８００は、課金処理が完了した旨のメッセージを受け付けて、ネットワーク８０を介して選択された商品（デジタルデータ）を液晶テレビ６００Ｂに送信する。液晶テレビ６００Ｂは、商品（デジタルデータ）を携帯電話５００Ｂに送信する。これによって、携帯電話５００Ｂは、商品（デジタルデータ）に基づいて、コンテンツを表示することが可能になる。
【０３６８】
ただし、液晶テレビ６００Ｂは、商品を自身のＨＤＤなどに格納してもよい。この場合は、液晶テレビ６００Ｂが、商品に基づいて、コンテンツを表示することが可能になる。また、コンテンツサーバ８００は、課金処理が完了した旨のメッセージを受け付けて、当該メッセージを管理者に表示してもよい。管理者は、当該メッセージに基づいて商品を携帯電話５００Ｂのユーザに配送してもよい。
【０３６９】
このように、本実施の形態に係る情報通信システム１Ｂは、液晶テレビ６００Ｂが第１の情報を携帯電話５００Ｂに送信するため、携帯電話５００Ｂは当該第１の情報を表示したり、当該第１の情報に基づいてユーザ認証処理を行なったりできる。すなわち、本実施の形態に係る情報通信システム１Ｂは、液晶テレビ６００Ｂが第１の情報を携帯電話５００Ｂに送信すること、携帯電話５００Ｂが第１の情報を表示すること、携帯電話５００Ｂが識別情報を読み取ること、携帯電話５００Ｂが認証処理を行なうこと、液晶テレビ６００Ｂが第１の情報と認証結果とに基づいて課金サーバ７００Ｂとともに課金処理を行なうことができる。
【０３７０】
以下、このような機能を実現するための構成について詳述する。
＜携帯電話５００Ｂの構成＞
まず、図２を参照して、情報通信システム１Ｂを構成する携帯電話５００Ｂの具体的構成の一態様について説明する。なお、携帯電話５００Ｂのハードウェア構成およびＣＰＵ５１０の一部の機能構成は、実施の形態１のそれらと同様であるため、ここでは説明を繰り返さない。
【０３７１】
本実施の形態に係るＣＰＵ５１０の機能構成は、実施の形態１に係るＣＰＵ５１０と比較して、通信制御部５１０１が通信部５６０を用いて認証結果を液晶テレビ６００Ｂにのみ送信する点において異なる。
【０３７２】
＜液晶テレビ６００Ｂの構成＞
次に、情報通信システム１Ｂを構成する液晶テレビ６００Ｂの具体的構成の一態様について説明する。なお、液晶テレビ６００Ｂのハードウェア構成およびＣＰＵ６１０の一部の機能構成は、実施の形態１のそれらと同様であるため、ここでは説明を繰り返さない。
【０３７３】
本実施の形態に係るＣＰＵ６１０の機能構成は、実施の形態１に係るＣＰＵ６１０と比較して、通信制御部６１０１が通信部６６２を用いて認証結果を課金サーバ７００Ｂに送信する点において異なる。
【０３７４】
＜課金サーバ７００Ｂの構成＞
次に、図１３を参照して、情報通信システム１Ｂを構成する課金サーバ７００Ｂの具体的構成の一態様について説明する。なお、課金サーバ７００Ｂのハードウェア構成およびＣＰＵ７１０の一部の機能構成は、実施の形態１のそれらと同様であるため、ここでは説明を繰り返さない。
【０３７５】
本実施の形態に係るＣＰＵ７１０の機能構成は、実施の形態１に係るＣＰＵ７１０と比較して、課金部７１０１が通信部７６２を利用することによって、液晶テレビ６００Ｂから認証結果や第１の情報を受信する点、課金部７１０１が通信部７６２を用いて液晶テレビ６００Ｂに課金処理が完了した旨を通知する点において異なる。
【０３７６】
［実施の形態３］
次に、本発明の実施の形態３について説明する。上述の実施の形態２に係る情報通信システム１Ｂは、携帯電話５００Ｂが認証処理を行なうものであった。一方、本実施の形態に係る情報通信システム１Ｃは、液晶テレビ６００Ｃが認証処理を行なうものである。すなわち、本実施の形態に係る携帯電話５００Ｃは識別情報を読み取って、当該識別情報を液晶テレビ６００Ｃに送信するものである。
【０３７７】
まず、図３４を参照して、本実施の形態に係る情報通信システム１Ｃの全体構成について説明する。図３４は、本実施の形態に係る情報通信システム１Ｃの全体構成を示すイメージ図である。
【０３７８】
本実施の形態に係る情報通信システム１Ｃは、液晶テレビ（第１の通信装置）６００Ｃと、リモートコントローラ３００と、携帯電話５００Ｃ（第２の通信装置）と、課金サーバ７００Ｃ（第１のサーバ）と、コンテンツサーバ８００（第２のサーバ）とを含む。
【０３７９】
液晶テレビ６００Ｃは、Ｗｅｂページなどの画像を表示する。液晶テレビ６００Ｃは、たとえば、プラズマテレビなどディスプレイを保有する他の装置であってもよい。また、液晶テレビ６００Ｃは、画像を表示するための表示装置と、当該表示装置に表示させるための画像データを送信する画像データ送信装置とから構成される装置であってもよい。画像データ送信装置としては、たとえば、ＳＴＢ（Set  Top  Box）、ＨＤＤレコーダ、ＤＶＤ（Digital  Versatile  Disc）レコーダ、ＢＤ（Blu-ray  Disc）レコーダ等が挙げられる。
【０３８０】
液晶テレビ６００Ｃは、ネットワーク７０を介して課金サーバ７００Ｂに接続可能である。液晶テレビ６００Ｃは、携帯電話５００Ｃから識別情報を受け付けて、当該識別情報に基づいて認証処理を行なう。液晶テレビ６００Ｃは、認証結果を課金サーバ７００Ｂに送信する。液晶テレビ６００Ｃは、ネットワーク８０を介してコンテンツサーバ８００に接続可能である。液晶テレビ６００Ｃは、コンテンツサーバ８００からＷｅｂページのデータをダウンロードしたり、商品としてのデジタルデータをダウンロードしたりする。
【０３８１】
携帯電話５００Ｃは、電話網と、無線によりデータ通信可能である。電話網は、たとえば、携帯電話のための電話網である。携帯電話５００Ｃは、ＰＤＡ（Personal  Digital  Assistance）やノート型パーソナルコンピュータなどのような、ユーザが持ち運ぶことができる情報通信端末であってもよい。携帯電話５００Ｃは、ユーザを識別するための識別情報を取得して、当該識別情報を液晶テレビ６００Ｃに送信する。
【０３８２】
携帯電話５００Ｃと、液晶テレビ６００Ｃとは、無線または有線でデータ通信を行なう。すなわち、携帯電話５００Ｃと、液晶テレビ６００Ｃと、リモートコントローラ３００とから映像表示システムが構成される。
【０３８３】
課金サーバ７００Ｂは、ネットワーク７０を介して、液晶テレビ６００Ｃとの間で課金処理を行なう。たとえば、課金サーバ７００Ｂは、液晶テレビ６００Ｃからユーザの認証結果と商品の価格とを受信して、携帯電話５００Ｃのユーザのクレジットカード番号を使って商品の価格を引き落としたりする。
【０３８４】
＜情報通信システム１Ｃの動作概要＞
次に、図３４を参照して、本実施の形態に係る情報通信システム１Ｃの動作概要について説明する。ここでは、ユーザが、液晶テレビ６００Ｃを利用して商品を閲覧し、携帯電話５００Ｃを利用してユーザの識別情報を液晶テレビ６００Ｃに送信する。そして、液晶テレビ６００Ｃが識別情報に基づいてユーザ認証を行なうことによって、ユーザが当該商品（デジタルデータ）を購入する場合について説明する。
【０３８５】
まず、設定段階の動作概要について説明する。ステップ（１）として、携帯電話５００Ｃは、ユーザの識別情報を記憶する。携帯電話５００Ｃは、携帯電話５００Ｃのユーザ（たとえば所有者）の指紋画像やサイン画像などを識別情報として記憶する。
【０３８６】
ステップ（２）として、携帯電話５００Ｃは、自身を液晶テレビ６００Ｃに登録する。このとき、携帯電話５００Ｃと液晶テレビ６００Ｃとは、Bluetooth（登録商標）を利用してペアリングを行なう。携帯電話５００Ｃは、携帯電話５００Ｃに関する情報や識別情報を液晶テレビ６００Ｃに送信する。
【０３８７】
ステップ（３）として、液晶テレビ６００Ｃは、携帯電話５００ＣをBluetooth（登録商標）の相手として登録する。すなわち、液晶テレビ６００Ｃは、携帯電話５００Ｃを識別するための情報や携帯電話５００Ｃのユーザの識別情報を、認証情報として登録端末リスト１８０Ｅに格納することによって、携帯電話５００Ｃを登録する。
【０３８８】
ステップ（４）として、液晶テレビ６００Ｃは、ネットワーク８０を介して、携帯電話５００Ｃをコンテンツサーバ８００が提供するサービスにユーザ登録する。コンテンツサーバ８００は、携帯電話５００Ｃを識別するための情報をサービスに対応付けて記憶することによって、携帯電話５００Ｃを当該サービスに登録する。ここまでが、商品を購入するための設定段階である。
【０３８９】
次に、端末選択段階の動作概要について説明する。ステップ（５）として、ユーザは、液晶テレビ６００Ｃを利用してＷｅｂページを閲覧しながら、リモートコントローラ３００を利用して商品を選択する。より詳細には、液晶テレビ６００Ｃは、コンテンツサーバ８００からのＷｅｂページをユーザに表示する。Ｗｅｂページは、提示する商品に関する情報（商品の名称、商品の画像、商品の価格など）を含む。そして、液晶テレビ６００Ｃは、通信可能な携帯電話５００Ｃを探索する。液晶テレビ６００Ｃは、ネットワーク８０を介して、検出された携帯電話５００Ｃの識別情報や選択命令をコンテンツサーバ８００に送信する。
【０３９０】
ステップ（６）として、コンテンツサーバ８００は、上記の通信可能な携帯電話５００Ｃのうち設定段階にてユーザ登録されている携帯電話５００Ｃに関する識別情報を液晶テレビ６００Ｃに送信する。
【０３９１】
ステップ（７）として、液晶テレビ６００Ｃは、選択された商品に関する情報（第１の情報）と識別情報送信命令とを携帯電話５００Ｃに送信する。このとき、液晶テレビ６００Ｃは、リモートコントローラ３００を介して、ユーザから、識別情報の取得に使用する携帯電話５００Ｃの選択命令を受け付けてもよい。
【０３９２】
次に、認証・購入段階の動作概要について説明する。ステップ（８）として、液晶テレビ６００Ｃは、選択された携帯電話５００Ｃに、携帯電話５００Ｃは識別情報を取得する。より詳細には、携帯電話５００Ｃは、ユーザの指によるタッチ操作を受け付けて指紋画像を識別情報として取得する。あるいは、携帯電話５００Ｃは、スタイラスペンによるタッチ操作を受け付けてサイン画像を識別情報として取得する。あるいは、携帯電話５００Ｃは、カードのＩＣチップや磁気テープを読み取って識別情報を取得する。
【０３９３】
ステップ（９）として、携帯電話５００Ｃは、識別情報（指紋画像、サイン画像など）を液晶テレビ６００Ｃに送信する。
【０３９４】
ステップ（１０）として、液晶テレビ６００Ｃは、受信した識別情報に基づいて携帯電話５００Ｃのユーザについてのユーザ認証を行なう。たとえば、識別情報が指紋画像である場合、液晶テレビ６００Ｃは指紋認証を行なう。たとえば、識別情報がサイン画像である場合、液晶テレビ６００Ｃはサイン認証を行なう。たとえば、液晶テレビ６００Ｃは、ＩＣチップや磁気テープに格納されているデータに基づいてユーザ認証を行なう。
【０３９５】
ステップ（１１）として、液晶テレビ６００Ｃにおける認証結果と第１の情報とを課金サーバ７００Ｃに送信する。課金サーバ７００Ｃは、認証結果と第１の情報とに基づいて、ユーザから料金を徴収する。すなわち、課金サーバ７００Ｃは、選択された商品に対応する課金処理を行なう。
【０３９６】
ステップ（１２）として、課金サーバ７００Ｃは、課金処理が正常に完了すると、課金処理が完了した旨のメッセージをネットワーク７０を介して液晶テレビ６００Ｃに送信する。
【０３９７】
ステップ（１３）として、液晶テレビ６００Ｃは、課金処理が完了した旨のメッセージをコンテンツサーバ８００に送信する。
【０３９８】
ステップ（１４）として、コンテンツサーバ８００は、課金処理が完了した旨のメッセージを受け付けて、ネットワーク８０を介して選択された商品（デジタルデータ）を液晶テレビ６００Ｃに送信する。液晶テレビ６００Ｃは、商品（デジタルデータ）を携帯電話５００Ｃに送信する。これによって、携帯電話５００Ｃは、商品（デジタルデータ）に基づいて、コンテンツを表示することが可能になる。
【０３９９】
ただし、液晶テレビ６００Ｃは、商品を自身のＨＤＤなどに格納してもよい。この場合は、液晶テレビ６００Ｃが、商品に基づいて、コンテンツを表示することが可能になる。また、コンテンツサーバ８００は、課金処理が完了した旨のメッセージを受け付けて、当該メッセージを管理者に表示してもよい。管理者は、当該メッセージに基づいて商品を携帯電話５００Ｃのユーザに配送してもよい。
【０４００】
このように、本実施の形態に係る情報通信システム１Ｃは、液晶テレビ６００Ｃが第１の情報を携帯電話５００Ｃに送信するため、携帯電話５００Ｃは当該第１の情報を表示したり、当該第１の情報に基づいて識別情報を取得したりできる。すなわち、本実施の形態に係る情報通信システム１Ｃは、液晶テレビ６００Ｃが第１の情報を携帯電話５００Ｃに送信すること、携帯電話５００Ｃが第１の情報を表示すること、携帯電話５００Ｃが識別情報を読み取ること、液晶テレビ６００Ｂが認証処理を行なうこと、液晶テレビ６００Ｃが第１の情報と認証結果とに基づいて課金サーバ７００Ｂとともに課金処理を行なうことができる。
【０４０１】
以下、このような機能を実現するための構成について詳述する。
＜携帯電話５００Ｃの構成＞
まず、図３５を参照して、情報通信システム１Ｃを構成する携帯電話５００Ｃの具体的構成の一態様について説明する。図３５は、本実施の形態に係る携帯電話５００Ｃおよび液晶テレビ６００Ｃの構成を示すブロック図である。なお、携帯電話５００Ｃのハードウェア構成は、実施の形態１のそれらと同様であるため、ここでは説明を繰り返さない。
【０４０２】
（ＣＰＵ５１０Ｃの機能構成）
携帯電話５００ＣのＣＰＵ５１０Ｃが有する機能について説明する。本実施の形態に係るＣＰＵ５１０Ｃは、通信制御部５１０１と、取得部５１０２の機能を有する。具体的には、ＣＰＵ５１０Ｃは、プログラム１８０Ａを実行することによって、上記の機能を実現する。
【０４０３】
通信制御部５１０１は、通信部５６０を利用することによって、携帯電話５００Ｃが有する各種の機能を示す情報を液晶テレビ６００に送信する。たとえば、通信制御部５１０１は、液晶テレビ６００からのメッセージを受け付けて、携帯電話５００Ｃを識別するための端末ＩＤ、端末の名称、認証機能の有無、課金および決済機能の有無、情報読取機能の有無、現在の通信の可否などを示す情報を液晶テレビ６００に送信する。
【０４０４】
また、通信制御部５１０１は、液晶テレビ６００Ｃからの第１の情報に応じて、通信部５６０を利用することによって、後述する識別情報を液晶テレビ６００Ｃに送信する。
【０４０５】
取得部５１０２は、タッチパネル５３０から識別情報としての画像データを取得する。たとえば、液晶テレビ６００Ｃが指紋認証を行なう場合には、取得部５１０２はタッチパネル５３０から指紋画像を示す画像データを取得する。
【０４０６】
たとえば、液晶テレビ６００Ｃがサイン認証を行なう場合には、取得部５１０２はタッチパネル５３０から順次接触領域を示す画像データを取得する。そして、取得部５１０２は、順次接触領域の中心座標（重心座標）を計算して、当該中心座標の軌跡（サイン画像）を識別情報として取得する。なお、取得部５１０２は、タッチパネル５３０から接触領域の中心座標（重心座標）を順次取得して、当該中心座標の軌跡（サイン画像）を識別情報として取得する。
【０４０７】
（携帯電話５００Ｃの変形例）
ただし、携帯電話５００Ｃは、タッチパネル５３０の代わりにカードリーダなどを含んでもよい。この場合には、取得部５１０２は、当該カードリーダにユーザが所有している認証カードのＩＣチップや磁気テープを読取らせることによって、ユーザの識別情報を取得する。
【０４０８】
＜液晶テレビ６００Ｃの構成＞
次に、情報通信システム１Ｃを構成する液晶テレビ６００Ｃの具体的構成の一態様について説明する。なお、液晶テレビ６００Ｃのハードウェア構成は、実施の形態１のそれらと同様であるため、ここでは説明を繰り返さない。
【０４０９】
（ＣＰＵ６１０Ｃの機能構成）
次に、液晶テレビ６００ＣのＣＰＵ６１０Ｃが有する機能について説明する。本実施の形態に係るＣＰＵ６１０は、通信制御部６１０１と、探索部６１０２と、受付部６１０３と、登録部６１０４と、認証部６１０５の機能を有する。具体的には、ＣＰＵ６１０Ｃは、プログラム１８０Ｃを実行することによって、上記の機能を実現する。
【０４１０】
受付部６１０３は、リモートコントローラ信号受信部６８０を介してリモートコントローラ３００から機器を登録する旨の命令（登録命令）を受け付ける。受付部６１０３は、リモートコントローラ信号受信部６８０を介してリモートコントローラ３００から商品を選択するための命令（第１の選択命令）を受け付ける。受付部６１０３は、リモートコントローラ信号受信部６８０を介してリモートコントローラ３００からユーザの識別情報を読み取る携帯電話５００を選択するための命令（第２の選択命令）を受け付ける。
【０４１１】
通信制御部６１０１は、受付部６１０３が登録命令を受け付けた際に、通信部６６０を利用することによって、携帯電話５００とペアリングを行なう。通信制御部６１０１は、通信部６６０を利用することによって、携帯電話５００から、携帯電話５００を識別するための端末ＩＤ、端末の名称、認証機能の有無、課金および決済機能の有無、情報読取機能の有無、現在の通信の可否を受信する。
【０４１２】
通信制御部６１０１は、通信部６６２を利用することによって、認証結果を課金サーバ７００Ｃに送信する。また、通信制御部６１０１は、課金サーバ７００Ｃから課金処理が正常に終了した旨の通知を受信する。通信制御部６１０１は、通信部６６２を利用することによって、課金処理が正常に終了した旨と第１の情報とを対応付けてコンテンツサーバ８００に送信する。
【０４１３】
登録部６１０４は、受信した、携帯電話５００を識別するための端末ＩＤ、端末の名称、認証機能の有無、課金および決済機能の有無、情報読取機能の有無、現在の通信の可否を示す情報を、記憶部６２０の登録端末リスト１８０Ｅに格納する。なお、指紋認証を行なう場合、登録部６１０４は、ユーザ登録を行なう際に、携帯電話５００Ｃから取得した指紋画像を認証情報１８０Ｂとして記憶部６２０の登録端末リスト１８０Ｅに記憶する。また、サイン認証を行なう場合、登録部６１０４は、ユーザ登録を行なう際に、携帯電話５００Ｃから取得したサイン画像を認証情報１８０Ｂとして記憶部６２０の登録端末リスト１８０Ｅに記憶する。
【０４１４】
探索部６１０２は、受付部６１０３が第１の選択命令を受け付けた際に、通信制御部６１０１と通信部６６０とを介して、自身と通信可能であって且つユーザの識別情報を取得可能である携帯電話５００を探索する。探索部６１０２は、探索結果に応じて記憶部６２０の登録端末リスト１８０Ｅを更新する。探索部６１０２は、最新の登録端末リスト１８０Ｅを参照して、通信可能な携帯電話５００を認識する。これによって、受付部６１０３は、第２の選択命令を受け付けることが可能になる。
【０４１５】
たとえば、指紋認証を行なう場合、認証部６１０５は、携帯電話５００Ｃから取得した指紋画像と、予め記憶部６２０が記憶している認証情報（指紋画像）とに基づいて、両者が実質的に一致するか否かを判断する。認証部６１０５は、両者が実質的に一致する場合、ユーザ認証が成功したと判断し、両者が実質的に一致しない場合、ユーザ認証が失敗したと判断する。
【０４１６】
たとえば、サイン認証を行なう場合、認証部６１０５は、携帯電話５００Ｃから取得したサイン画像と、予め記憶部６２０が記憶している認証情報（サイン画像）とに基づいて、両者が実質的に一致するか否かを判断する。認証部６１０５は、両者が実質的に一致する場合、ユーザ認証が成功したと判断し、両者が実質的に一致しない場合、ユーザ認証が失敗したと判断する。
【０４１７】
［実施の形態４］
次に、本発明の実施の形態４について説明する。上述の実施の形態３に係る情報通信システム１Ｃは、液晶テレビ６００Ｂが認証処理を行なうものであった。一方、本実施の形態に係る情報通信システム１Ｄは、課金サーバ７００Ｄが認証処理を行なうものである。すなわち、本実施の形態に係る携帯電話５００Ｄは識別情報を読み取って、当該識別情報を液晶テレビ６００Ｄを介して課金サーバ７００Ｄに送信するものである。
【０４１８】
まず、図３６を参照して、本実施の形態に係る情報通信システム１Ｄの全体構成について説明する。図３６は、本実施の形態に係る情報通信システム１Ｄの全体構成を示すイメージ図である。
【０４１９】
本実施の形態に係る情報通信システム１Ｄは、液晶テレビ６００Ｄ（第１の通信装置）と、リモートコントローラ３００と、携帯電話５００Ｄ（第２の通信装置）と、課金サーバ７００Ｄ（第１のサーバ）と、コンテンツサーバ８００（第２のサーバ）とを含む。
【０４２０】
液晶テレビ６００Ｄは、Ｗｅｂページなどの画像を表示する。たとえば、液晶テレビ６００Ｄは、プラズマテレビなどディスプレイを保有する他の装置であってもよい。また、液晶テレビ６００Ｄは、画像を表示するための表示装置と、当該表示装置に表示させるための画像データを送信する画像データ送信装置とから構成される装置であってもよい。画像データ送信装置としては、たとえば、ＳＴＢ（Set  Top  Box）、ＨＤＤレコーダ、ＤＶＤ（Digital  Versatile  Disc）レコーダ、ＢＤ（Blu-ray  Disc）レコーダ等が挙げられる。
【０４２１】
液晶テレビ６００Ｄは、ネットワーク７０を介して課金サーバ７００Ｄに接続可能である。液晶テレビ６００Ｄは、携帯電話５００Ｄから識別情報を受け付けて、ネットワーク７０を介して当該識別情報を課金サーバ７００Ｄに送信する。液晶テレビ６００Ｄは、課金サーバ７００Ｄから認証結果を受信する。
【０４２２】
液晶テレビ６００Ｄは、ネットワーク８０を介してコンテンツサーバ８００に接続可能である。液晶テレビ６００Ｄは、コンテンツサーバ８００からＷｅｂページのデータをダウンロードしたり、商品としてのデジタルデータをダウンロードしたりする。
【０４２３】
携帯電話５００Ｄは、電話網と、無線によりデータ通信可能である。電話網は、たとえば、携帯電話のための電話網である。携帯電話５００Ｄは、ＰＤＡ（Personal  Digital  Assistance）やノート型パーソナルコンピュータなどのような、ユーザが持ち運ぶことができる情報通信端末であってもよい。携帯電話５００Ｄは、ユーザを識別するための識別情報を取得して、当該識別情報を液晶テレビ６００Ｄに送信する。
【０４２４】
携帯電話５００Ｄと、液晶テレビ６００Ｄとは、無線または有線でデータ通信を行なう。すなわち、携帯電話５００Ｄと、液晶テレビ６００Ｄと、リモートコントローラ３００とから映像表示システムが構成される。
【０４２５】
課金サーバ７００Ｄは、ネットワーク７０を介して、液晶テレビ６００Ｄとの間で課金処理を行なう。たとえば、課金サーバ７００Ｄは、液晶テレビ６００Ｄからユーザの識別情報と商品の価格とを受信して、識別情報に基づいてユーザ認証を行なう。課金サーバ７００Ｄは、ユーザ認証に成功すると、商品の価格に基づいて携帯電話５００Ｄのユーザのクレジットカード番号を使って商品の価格を引き落としたりする。
【０４２６】
＜情報通信システム１Ｄの動作概要＞
次に、図３６を参照して、本実施の形態に係る情報通信システム１Ｄの動作概要について説明する。ここでは、ユーザが、液晶テレビ６００Ｄを利用して商品を閲覧し、携帯電話５００Ｄを利用してユーザの識別情報を液晶テレビ６００Ｄに送信する。そして、液晶テレビ６００Ｄが識別情報を課金サーバ７００Ｄに送信する。なお、液晶テレビ６００Ｄからではなく、携帯電話５００Ｄから課金サーバ７００Ｄに識別情報を直接送信してもよい。課金サーバ７００Ｄは、識別情報に基づいてユーザ認証を行なうことによって、ユーザが当該商品（デジタルデータ）を購入する場合について説明する。
【０４２７】
まず、設定段階の動作概要について説明する。ステップ（１）として、携帯電話５００Ｄは、ユーザの識別情報を記憶する。携帯電話５００Ｄは、携帯電話５００Ｄのユーザ（たとえば所有者）の指紋画像やサイン画像などを識別情報として記憶する。
【０４２８】
ステップ（２）として、携帯電話５００Ｄは、自身を液晶テレビ６００Ｄに登録する。このとき、携帯電話５００Ｄと液晶テレビ６００Ｄとは、Bluetooth（登録商標）を利用してペアリングを行なう。携帯電話５００Ｄは、携帯電話５００Ｄに関する情報と携帯電話のユーザの識別情報とを液晶テレビ６００Ｄに送信する。液晶テレビ６００Ｄは、携帯電話５００ＤをBluetooth（登録商標）の相手として登録する。すなわち、液晶テレビ６００Ｄは、携帯電話５００Ｄに関する情報を登録端末リスト１８０Ｅに格納することによって、携帯電話５００Ｄを登録する。
【０４２９】
ステップ（３）として、液晶テレビ６００Ｄは、ネットワーク７０を介して、携帯電話５００Ｄに関する情報とユーザの識別情報とを課金サーバ７００Ｄに送信する。
【０４３０】
ステップ（４）として、課金サーバ７００Ｄは、携帯電話５００Ｄを識別するための情報と携帯電話５００Ｄのユーザの識別情報とを認証情報として記憶部７２０に格納することによって、携帯電話５００Ｄを登録する。
【０４３１】
ステップ（５）として、課金サーバ７００Ｄは、登録が完了した旨を液晶テレビ６００Ｄに通知する。
【０４３２】
ステップ（６）として、液晶テレビ６００Ｄは、ネットワーク８０を介して、携帯電話５００Ｄをコンテンツサーバ８００が提供するサービスにユーザ登録する。コンテンツサーバ８００は、携帯電話５００Ｄを識別するための情報をサービスに対応付けて記憶することによって、携帯電話５００Ｄを当該サービスに登録する。ここまでが、商品を購入するための設定段階である。
【０４３３】
次に、端末選択段階の動作概要について説明する。ステップ（７）として、ユーザは、液晶テレビ６００Ｄを利用してＷｅｂページを閲覧しながら、リモートコントローラ３００を利用して商品を選択する。より詳細には、液晶テレビ６００Ｄは、コンテンツサーバ８００からのＷｅｂページをユーザに表示する。Ｗｅｂページは、提示する商品に関する情報（商品の名称、商品の画像、商品の価格など）を含む。そして、液晶テレビ６００Ｄは、通信可能な携帯電話５００Ｄを探索する。液晶テレビ６００Ｄは、ネットワーク８０を介して、検出された携帯電話５００Ｄの識別情報や選択命令をコンテンツサーバ８００に送信する。
【０４３４】
ステップ（８）として、コンテンツサーバ８００は、上記の通信可能な携帯電話５００Ｄのうち設定段階にてユーザ登録されている携帯電話５００Ｄに関する識別情報を液晶テレビ６００Ｄに送信する。
【０４３５】
ステップ（９）として、液晶テレビ６００Ｄは、選択された商品に関する情報（第１の情報）と識別情報送信命令とを携帯電話５００Ｄに送信する。このとき、液晶テレビ６００Ｃは、リモートコントローラ３００を介して、ユーザから、課金処理に使用する携帯電話５００Ｄの選択命令を受け付ける。
【０４３６】
次に、認証・購入段階の動作概要について説明する。ステップ（１０）として、携帯電話５００Ｄは識別情報を取得する。より詳細には、携帯電話５００Ｄは、ユーザの指によるタッチ操作を受け付けて指紋画像を識別情報として取得する。あるいは、携帯電話５００Ｄは、スタイラスペンによるタッチ操作を受け付けてサイン画像を識別情報として取得する。あるいは、携帯電話５００Ｄは、カードのＩＣチップや磁気テープを読み取って識別情報を取得する。
【０４３７】
ステップ（１１）として、携帯電話５００Ｄは、ネットワーク７０を介して識別情報を液晶テレビ６００Ｄに送信する。
【０４３８】
ステップ（１２）として、液晶テレビ６００Ｄは、ネットワーク７０を介して、受信した識別情報と第１の情報とを課金サーバ７００Ｄに送信する。
【０４３９】
ステップ（１３）として、課金サーバ７００Ｄは、識別情報と認証情報とに基づいて、携帯電話５００Ｄのユーザについてのユーザ認証を行なう。たとえば、識別情報が指紋画像である場合、課金サーバ７００Ｄは指紋認証を行なう。たとえば、識別情報がサイン画像である場合、課金サーバ７００Ｄはサイン認証を行なう。たとえば、課金サーバ７００Ｄは、ＩＣチップや磁気テープに格納されているデータに基づいてユーザ認証を行なう。
【０４４０】
そして、課金サーバ７００Ｄは、認証結果と第１の情報とに基づいて、ユーザから料金を徴収する。すなわち、課金サーバ７００Ｄは、選択された商品に対応する課金処理を行なう。
【０４４１】
ステップ（１４）として、課金サーバ７００Ｄは、課金処理が正常に完了すると、課金処理が完了した旨のメッセージをネットワーク７０を介して液晶テレビ６００Ｄに送信する。
【０４４２】
ステップ（１５）として、液晶テレビ６００Ｄは、課金処理が完了した旨のメッセージをコンテンツサーバ８００に送信する。
【０４４３】
ステップ（１６）として、コンテンツサーバ８００は、課金処理が完了した旨のメッセージを受け付けて、ネットワーク８０を介して選択された商品（デジタルデータ）を液晶テレビ６００Ｄに送信する。液晶テレビ６００Ｄは、商品（デジタルデータ）を携帯電話５００Ｄに送信する。これによって、携帯電話５００Ｄは、商品（デジタルデータ）に基づいて、コンテンツを表示することが可能になる。
【０４４４】
ただし、液晶テレビ６００Ｄは、商品を自身のＨＤＤなどに格納してもよい。この場合は、液晶テレビ６００Ｄが、商品に基づいて、コンテンツを表示することが可能になる。また、コンテンツサーバ８００は、課金処理が完了した旨のメッセージを受け付けて、当該メッセージを管理者に表示してもよい。管理者は、当該メッセージに基づいて商品を携帯電話５００Ｄのユーザに配送してもよい。
【０４４５】
このように、本実施の形態に係る情報通信システム１Ｄは、液晶テレビ６００Ｄが第１の情報を携帯電話５００Ｄに送信するため、携帯電話５００Ｄは当該第１の情報を表示したり、当該第１の情報に基づいて識別情報を取得したりできる。すなわち、本実施の形態に係る情報通信システム１Ｄは、液晶テレビ６００Ｄが第１の情報を携帯電話５００Ｄに送信すること、携帯電話５００Ｄが第１の情報を表示すること、携帯電話５００Ｄが識別情報を読み取ること、課金サーバ７００Ｄが認証処理を行なうこと、課金サーバ７００Ｄが第１の情報と認証結果とに基づいて課金処理を行なうことができる。
【０４４６】
以下、このような機能を実現するための構成について詳述する。
＜携帯電話５００Ｄの構成＞
まず、図３７を参照して、情報通信システム１Ｄを構成する携帯電話５００Ｄの具体的構成の一態様について説明する。なお、携帯電話５００Ｄのハードウェア構成は、実施の形態１のそれらと同様であるため、ここでは説明を繰り返さない。
【０４４７】
（ＣＰＵ５１０Ｄの機能構成）
携帯電話５００ＤのＣＰＵ５１０Ｄが有する機能について説明する。本実施の形態に係るＣＰＵ５１０Ｄは、通信制御部５１０１と、取得部５１０２の機能を有する。具体的には、ＣＰＵ５１０Ｄは、プログラム１８０Ａを実行することによって、上記の機能を実現する。
【０４４８】
通信制御部５１０１は、通信部５６０を利用することによって、携帯電話５００Ｄが有する各種の機能を示す情報を液晶テレビ６００に送信する。たとえば、通信制御部５１０１は、液晶テレビ６００Ｄからのメッセージを受け付けて、携帯電話５００Ｄを識別するための端末ＩＤ、端末の名称、認証機能の有無、課金および決済機能の有無、情報読取機能の有無、現在の通信の可否などを示す情報を液晶テレビ６００Ｄに送信する。また、通信制御部５１０１は、通信部５６０を利用することによって、識別情報を液晶テレビ６００Ｄに送信する。
【０４４９】
取得部５１０２は、タッチパネル５３０から識別情報としての画像データを取得する。たとえば、液晶テレビ６００Ｄが指紋認証を行なう場合には、取得部５１０２はタッチパネル５３０から指紋画像を示す画像データを取得する。
【０４５０】
たとえば、液晶テレビ６００Ｄがサイン認証を行なう場合には、取得部５１０２はタッチパネル５３０から順次接触領域を示す画像データを取得する。そして、取得部５１０２は、順次接触領域の中心座標（重心座標）を計算して、当該中心座標の軌跡（サイン画像）を識別情報として取得する。なお、取得部５１０２は、タッチパネル５３０から接触領域の中心座標（重心座標）を順次取得して、当該中心座標の軌跡（サイン画像）を識別情報として取得する。
【０４５１】
（携帯電話５００Ｄの変形例）
ただし、携帯電話５００Ｄは、タッチパネル５３０の代わりにカードリーダなどを含んでもよい。この場合には、取得部５１０２は、当該カードリーダにユーザが所有している認証カードのＩＣチップや磁気テープを読取らせることによって、ユーザの識別情報を取得する。
【０４５２】
＜液晶テレビ６００Ｄの構成＞
次に、情報通信システム１Ｄを構成する液晶テレビ６００Ｄの具体的構成の一態様について説明する。なお、液晶テレビ６００Ｄのハードウェア構成は、実施の形態１のそれらと同様であるため、ここでは説明を繰り返さない。
【０４５３】
（ＣＰＵ６１０Ｄの機能構成）
次に、液晶テレビ６００ＤのＣＰＵ６１０Ｄが有する機能について説明する。本実施の形態に係るＣＰＵ６１０Ｄは、通信制御部６１０１と、探索部６１０２と、受付部６１０３と、登録部６１０４の機能を有する。具体的には、ＣＰＵ６１０Ｄは、プログラム１８０Ｃを実行することによって、上記の機能を実現する。
【０４５４】
受付部６１０３は、リモートコントローラ信号受信部６８０を介してリモートコントローラ３００から機器を登録する旨の命令（登録命令）を受け付ける。受付部６１０３は、リモートコントローラ信号受信部６８０を介してリモートコントローラ３００から商品を選択するための命令（第１の選択命令）を受け付ける。受付部６１０３は、リモートコントローラ信号受信部６８０を介してリモートコントローラ３００からユーザの識別情報を読み取る携帯電話５００Ｄを選択するための命令（第２の選択命令）を受け付ける。
【０４５５】
通信制御部６１０１は、受付部６１０３が登録命令を受け付けた際に、通信部６６０を利用することによって、携帯電話５００とペアリングを行なう。通信制御部６１０１は、通信部６６０を利用することによって、携帯電話５００Ｄから、携帯電話５００Ｄを識別するための端末ＩＤ、端末の名称、認証機能の有無、課金および決済機能の有無、情報読取機能の有無、現在の通信の可否を受信する。
【０４５６】
また、通信制御部６１０１は、携帯電話５００Ｄからユーザの識別情報と第１の情報とを受信する。通信制御部６１０１は、携帯電話５００Ｄからのユーザの識別情報と第１の情報とを課金サーバ７００Ｄに送信する。
【０４５７】
通信制御部６１０１は、課金サーバ７００Ｄから課金処理が正常に終了した旨の通知を受信する。通信制御部６１０１は、通信部６６２を利用することによって、課金処理が正常に終了した旨と第１の情報とを対応付けてコンテンツサーバ８００に送信する。
【０４５８】
登録部６１０４は、受信した、携帯電話５００を識別するための端末ＩＤ、端末の名称、認証機能の有無、課金および決済機能の有無、情報読取機能の有無、現在の通信の可否を示す情報を、記憶部６２０の登録端末リスト１８０Ｅに格納する。
【０４５９】
探索部６１０２は、受付部６１０３が第１の選択命令を受け付けた際に、通信制御部６１０１と通信部６６０とを介して、自身と通信可能であって且つユーザの識別情報を取得可能である携帯電話５００Ｄを探索する。探索部６１０２は、探索結果に応じて記憶部６２０の登録端末リスト１８０Ｅを更新する。探索部６１０２は、最新の登録端末リスト１８０Ｅを参照して、通信可能な携帯電話５００を認識する。これによって、受付部６１０３は、第２の選択命令を受け付けることが可能になる。
【０４６０】
＜課金サーバ７００Ｄの構成＞
次に、図３８を参照して、情報通信システム１Ｄを構成する課金サーバ７００Ｄの具体的構成の一態様について説明する。図３８は、本実施の形態に係る課金サーバ７００Ｄの構成を示すブロック図である。なお、課金サーバ７００Ｄのハードウェア構成およびＣＰＵ７１０の一部の機能構成は、実施の形態１のそれらと同様であるため、ここでは説明を繰り返さない。
【０４６１】
本実施の形態に係るＣＰＵ７１０の機能構成は、実施の形態１に係るＣＰＵ７１０と比較して、課金部７１０１と、認証部７１０２と、登録部７１０３とを含む点において、異なる。
【０４６２】
登録部７１０３は、ユーザ登録を行なう際に、通信部７６２を用いて携帯電話５００Ｄおよび液晶テレビ６００Ｄから受信した指紋画像を認証情報１８０Ｂとして記憶部７２０に記憶する。あるいは、登録部７１０３は、ユーザ登録を行なう際に、通信部７６２を用いて携帯電話５００Ｄおよび液晶テレビ６００Ｄから取得したサイン画像を認証情報１８０Ｂとして記憶部５２０に記憶する。
【０４６３】
認証部７１０２は、たとえば、指紋認証を行なう場合、携帯電話５００Ｄから取得した指紋画像と、予め記憶部７２０が記憶している認証情報（指紋画像）とに基づいて、両者が実質的に一致するか否かを判断する。認証部７１０２は、両者が実質的に一致する場合、ユーザ認証が成功したと判断し、両者が実質的に一致しない場合、ユーザ認証が失敗したと判断する。
【０４６４】
認証部７１０２は、たとえば、サイン認証を行なう場合、携帯電話５００Ｄから取得したサイン画像と、予め記憶部７２０が記憶している認証情報（サイン画像）とに基づいて、両者が実質的に一致するか否かを判断する。認証部７１０２は、両者が実質的に一致する場合、ユーザ認証が成功したと判断し、両者が実質的に一致しない場合、ユーザ認証が失敗したと判断する。
【０４６５】
課金部７１０１は、認証部７１０２からの認証結果と液晶テレビ６００Ｄからの第１の情報とに基づいて、携帯電話５００Ｄのユーザに対する課金処理を行なう。たとえば、課金部７１０１は、ユーザ認証が成功した場合に、課金データベース１８０Ｇに、ユーザ名と商品価格とを対応付けて記憶する。
【０４６６】
課金部７１０１は、課金データベース１８０Ｇを参照して、商品価格をユーザから徴収する。課金部７１０１は、ユーザに対する課金処理が正常に完了すると、通信部７６２を用いて液晶テレビ６００Ｄに課金処理が完了した旨を通知する。
【０４６７】
＜その他の実施の形態＞
本発明は、システム或いは装置にプログラムを供給することによって達成される場合にも適用できることはいうまでもない。そして、本発明を達成するためのソフトウェアによって表されるプログラムを格納した記憶媒体を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【０４６８】
この場合、記憶媒体から読出されたプログラムコード自体が前述した実施の形態の機能を実現することになり、そのプログラムコードを記憶した記憶媒体は本発明を構成することになる。
【０４６９】
プログラムコードを供給するための記憶媒体としては、例えば、ハードディスク、光ディスク、光磁気ディスク、ＣＤ−ＲＯＭ、ＣＤ−Ｒ、磁気テープ、不揮発性のメモリーカード（ＩＣメモリーカード）、ＲＯＭ（マスクＲＯＭ、フラッシュＥＥＰＲＯＭなど）などを用いることができる。
【０４７０】
また、コンピュータが読出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行ない、その処理によって前述した実施の形態の機能が実現される場合も含まれることは言うまでもない。
【０４７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によって前述した実施の形態の機能が実現される場合も含まれることは言うまでもない。
【０４７２】
実施例において、液晶テレビ５００で商品が選択された際に、携帯電話６００を探索する処理を実施する形態を示したが、これに限らず、常にもしくは一定間隔ごとに液晶テレビ５００が携帯電話６００の接続状況や情報を取得し、登録端末リスト１８０Ｅの更新処理を行なってもよい。この場合、実施例において探索するタイミングでは、登録端末リスト１８０Ｅを参照するだけでよいことになる。
【０４７３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０４７４】
１，１Ｂ，１Ｃ，１Ｄ  情報通信システム、５０  通信部、７０，８０  ネットワーク、９９  スタイラスペン、１３０  ドライバ、１３１  走査信号線駆動回路、１３２  データ信号線駆動回路、１３３  光センサ駆動回路、１３４  スイッチ、１３５  アンプ、１４０  光センサ内蔵液晶パネル、１４０Ａ  指紋入力エリア、１４０Ｂ  サイン入力エリア、１４１  画素回路、１４１ｂ，１４１ｇ，１４１ｒ  サブピクセル回路、１４３  電極対、１４３ａ  画素電極、１４３ｂ  対向電極、１４４  光センサ回路、１４５，１４５ｂ，１４５ｇ，１４５ｒ  フォトダイオード、１４６  コンデンサ、１５１Ａ  アクティブマトリクス基板、１５１Ｂ  対向基板、１５２  液晶層、１５３ｂ，１５３ｇ，１５３ｒ  カラーフィルタ、１５７  データ信号線、１６１  偏光フィルタ、１６２  ガラス基板、１６３  遮光膜、１６４  配向膜、１７９  バックライト、１８０  画像処理エンジン、１８１  ドライバ制御部、１８２  タイマ、１８３  信号処理部、３００  リモートコントローラ、５００，５００Ｂ，５００Ｃ，５００Ｄ  携帯電話、５１０  ＣＰＵ、５１０１  通信制御部、５１０２  取得部、５１０３  認証部、５１０４  登録部、５２０  記憶部、５２２  一時記憶部、５３０  タッチパネル、５４０  入力部、５５５  記録媒体、５５６  記録媒体アクセス部、５６０，５６２，５６６  通信部、５６４  アンテナ、５７０  音声出力部、５７４  音声入力部、５７８  撮像部、５７９  振動部、６００，６００Ｂ，６００Ｃ，６００Ｄ  液晶テレビ、６０２  アンテナ、６０５  チューナ、６０７  データ処理部、６１０  ＣＰＵ、６１０１  通信制御部、６１０２  探索部、６１０３  受付部、６１０４  登録部、６１０５  認証部、６２０  記憶部、６２２  一時記憶部、６３０  ディスプレイ、６４０  入力部、６６０，６６２  通信部、６７０  音声出力部、６８０  リモートコントローラ信号受信部、７００，７００Ｂ，７００Ｄ  課金サーバ、７１０  ＣＰＵ、７１０１  課金部、７１０２  認証部、７１０３  登録部、７２０  記憶部、７２２  一時記憶部、７３０  ディスプレイ、７４０  入力部、７４２  マウス、７４４  キーボード、７６０，７６２  通信部、８００  コンテンツサーバ、８１０  ＣＰＵ、８１０１  登録部、８２０  記憶部、８４０  入力部、８６２  通信部、９００  指、１８０Ａ  プログラム、１８０Ｂ  認証情報、１８０Ｃ  プログラム、１８０Ｄ  録画データ、１８０Ｅ  登録端末リスト、１８０Ｆ  プログラム、１８０Ｇ  課金データベース、１８０Ｈ  プログラム、１８０Ｊ  コンテンツデータ、１８０Ｋ  ユーザ登録データベース、１８０Ｌ  商品テーブル、ＤＢ１，ＤＢ２  データバス。
【図１】
2010271779.tif 000003
【図２】
2010271779.tif 000004
【図３】
2010271779.tif 000005
【図４】
2010271779.tif 000006
【図５】
2010271779.tif 000007
【図６】
2010271779.tif 000008
【図７】
2010271779.tif 000009
【図８】
2010271779.tif 000010
【図９】
2010271779.tif 000011
【図１０】
2010271779.tif 000012
【図１１】
2010271779.tif 000013
【図１２】
2010271779.tif 000014
【図１３】
2010271779.tif 000015
【図１４】
2010271779.tif 000016
【図１５】
2010271779.tif 000017
【図１６】
2010271779.tif 000018
【図１７】
2010271779.tif 000019
【図１８】
2010271779.tif 000020
【図１９】
2010271779.tif 000021
【図２０】
2010271779.tif 000022
【図２１】
2010271779.tif 000023
【図２２】
2010271779.tif 000024
【図２３】
2010271779.tif 000025
【図２４】
2010271779.tif 000026
【図２５】
2010271779.tif 000027
【図２６】
2010271779.tif 000028
【図２７】
2010271779.tif 000029
【図２８】
2010271779.tif 000030
【図２９】
2010271779.tif 000031
【図３０】
2010271779.tif 000032
【図３１】
2010271779.tif 000033
【図３２】
2010271779.tif 000034
【図３３】
2010271779.tif 000035
【図３４】
2010271779.tif 000036
【図３５】
2010271779.tif 000037
【図３６】
2010271779.tif 000038
【図３７】
2010271779.tif 000039
【図３８】
2010271779.tif 000040